(57)【要約】【課題】液晶表示装置において、消費電力を増大させることなく、黒挿入表示を行う。【解決手段】複数のサブピクセルと、前記各サブピクセルに映像電圧を入力する複数の映像線と、前記各サブピクセルに選択走査電圧を入力する複数の主走査線と、前記複数の主走査線のそれぞれに対応して設けられる複数の副走査線と、保持容量線とを有する液晶表示パネルを備え、前記各サブピクセルは、画素電極と、対向電極と、主トランジスタと、副トランジスタとを有し、前記対向電極に対向電圧を供給する対向電圧生成回路を備え、前記主トランジスタは、ゲート電極が前記主走査線に接続されるとともに、第１電極が前記映像線に接続され、また、第２電極が前記画素電極に接続され、前記副トランジスタは、ゲート電極が前記副走査線に接続されるとともに、第１電極が前記保持容量線に接続され、また、第２電極が前記画素電極に接続される。【選択図】図１−２
2008203627.tif 000002
【特許請求の範囲】
【請求項１】
複数のサブピクセルと、前記各サブピクセルに映像電圧を入力する複数の映像線と、前記各サブピクセルに選択走査電圧を入力する複数の主走査線と、前記複数の主走査線のそれぞれに対応して設けられる複数の副走査線と、保持容量線とを有する液晶表示パネルと、
前記複数の映像線に映像電圧を供給する映像線駆動回路と、
前記複数の主走査線に主走査電圧を供給する主走査線駆動回路と、
前記複数の副走査線に副走査電圧を供給する副走査線駆動回路と、
前記保持容量線に保持容量電圧を供給する保持容量電圧生成回路とを備える液晶表示装置であって、
前記各サブピクセルは、画素電極と、
対向電極と、
主トランジスタと、
副トランジスタとを有し、
前記対向電極に対向電圧を供給する対向電圧生成回路を備え、
前記主トランジスタは、ゲート電極が前記主走査線に接続されるとともに、第１電極が前記映像線に接続され、また、第２電極が前記画素電極に接続され、
前記副トランジスタは、ゲート電極が前記副走査線に接続されるとともに、第１電極が前記保持容量線に接続され、また、第２電極が前記画素電極に接続されることとを特徴とする液晶表示装置。
【請求項２】
前記主トランジスタの前記第２電極と前記保持容量線との間、前記副トランジスタの前記第２電極と前記保持容量線との間、あるいは、前記画素電極と前記保持容量線との間のいずれかに設けられる保持容量を備えることを特徴とする請求項１に記載の液晶表示装置。
【請求項３】
前記保持容量線は、全サブピクセルに対して共通に設けられていることを特徴とする請求項１または請求項２に記載の液晶表示装置。
【請求項４】
前記保持容量線は、１表示ライン毎に分割されていることを特徴とする請求項１または請求項２に記載の液晶表示装置。
【請求項５】
前記副トランジスタの第１電極は、直前に走査される表示ラインの前記保持容量線に接続されることを特徴とする請求項４に記載の液晶表示装置。
【請求項６】
前記副トランジスタの第１電極は、次に走査される表示ラインの前記保持容量線に接続されることを特徴とする請求項４に記載の液晶表示装置。
【請求項７】
前記主走査線駆動回路は、第１期間内に前記主トランジスタをオンとし、前記第１期間に連続する第２乃至第４期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとし、前記第３期間に連続する前記第４期間に前記副トランジスタをオフとする副走査電圧を前記複数の副走査線に順次供給することを特徴とする請求項１ないし請求項６のいずれか１項に記載の液晶表示装置。
【請求項８】
前記主走査線駆動回路は、第１期間内に前記主トランジスタをオンとし、前記第１期間に連続する第２乃至第３期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとする副走査電圧を前記複数の副走査線に順次供給することを特徴とする請求項１ないし請求項６のいずれか１項に記載の液晶表示装置。
【請求項９】
前記保持容量電圧生成回路は、一定の保持容量電圧を前記保持容量線に供給することを特徴とする請求項７または請求項８に記載の液晶表示装置。
【請求項１０】
前記映像線駆動回路から前記各映像線に供給する前記映像電圧が前記対向電極に入力される対向電圧より高電位の時を正極性の映像電圧、前記映像線駆動回路から前記各映像線に供給する前記映像電圧が前記対向電極に入力される対向電圧より低電位の時を負極性の映像電圧とするとき、前記保持容量電圧生成回路は、前記第１期間内に、前記映像線駆動回路から正極性の映像電圧を前記各映像線に供給するときには、ＶｓｔＬの保持容量電圧を前記保持容量線に供給し、前記第１期間内に、前記映像線駆動回路から負極性の映像電圧を前記各映像線に供給するときには、前記ＶｓｔＬよりも高電位のＶｓｔＨの保持容量電圧を前記保持容量線に供給し、
前記対向電圧生成回路は、前記第１期間内に、前記映像線駆動回路から正極性の映像電圧を前記各映像線に供給するときには、ＶｃｏｍＬの対向電圧を前記対向電極に供給し、前記第１期間内に、前記映像線駆動回路から負極性の映像電圧を前記各映像線に供給するときには、前記ＶｃｏｍＬよりも高電位のＶｃｏｍＨの対向電圧を前記対向電極に供給することを特徴とする請求項７または請求項８に記載の液晶表示装置。
【請求項１１】
前記対向電圧生成回路から前記対向電極に供給される電圧は、前記保持容量線に供給される保持容量電圧と同じ電圧であることを特徴とする請求項９または請求項１０に記載の液晶表示装置。
【請求項１２】
前記対向電圧生成回路から前記対向電極に供給される電圧は、前記保持容量線に供給される保持容量電圧から所定の電圧分低下した電圧であることを特徴とする請求項９または請求項１０に記載の液晶表示装置。
【請求項１３】
前記主走査線駆動回路は、第１期間内に前記主トランジスタをオンとし、前記第１期間に連続する第２乃至第４期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとし、前記第３期間に連続する前記第４期間に前記副トランジスタをオフとする副走査電圧を前記複数の副走査線に順次供給し、
前記映像線駆動回路から前記各映像線に供給する前記映像電圧が前記対向電極に入力される対向電圧より高電位の時を正極性の映像電圧、前記映像線駆動回路から前記各映像線に供給する前記映像電圧が前記対向電極に入力される対向電圧より低電位の時を負極性の映像電圧とするとき、前記保持容量電圧生成回路は、前記第１期間内に、前記映像線駆動回路から正極性の映像電圧を前記各映像線に供給するときには、前記第３期間と前記第４期間内に、ＶｓｔＨの保持容量電圧を前記保持容量線に供給し、前記第１期間内に、前記映像線駆動回路から負極性の映像電圧を前記各映像線に供給するときには、前記第３期間と前記第４期間内に、前記ＶｓｔＨよりも低電位のＶｓｔＬの保持容量電圧を前記保持容量線に供給することを特徴とする請求項４に記載の液晶表示装置。
【請求項１４】
前記主走査線駆動回路は、第１期間内に前記主トランジスタをオンとし、前記第１期間に連続する第２乃至第３期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとする副走査電圧を前記複数の副走査線に順次供給し、
前記映像線駆動回路から前記各映像線に供給する前記映像電圧が前記対向電極に入力される対向電圧より高電位の時を正極性の映像電圧、前記映像線駆動回路から前記各映像線に供給する前記映像電圧が前記対向電極に入力される対向電圧より低電位の時を負極性の映像電圧とするとき、前記保持容量電圧生成回路は、前記第１期間内に、前記映像線駆動回路から正極性の映像電圧を前記各映像線に供給するときには、前記第３期間内に、ＶｓｔＨの保持容量電圧を前記保持容量線に供給し、前記第１期間内に、前記映像線駆動回路から負極性の映像電圧を前記各映像線に供給するときには、前記第３期間内に、前記ＶｓｔＨよりも低電位のＶｓｔＬの保持容量電圧を前記保持容量線に供給することを特徴とする請求項４に記載の液晶表示装置。
【請求項１５】
前記対向電極は、１表示ライン毎に分割されており、
前記対向電圧生成回路から前記各表示ライン毎の対向電極に供給される対向電圧は、前記各表示ライン毎の保持容量線に供給される保持容量電圧が前記ＶｓｔＬの保持容量電圧のときは、ＶｃｏｍＨの対向電圧であり、前記各表示ライン毎の保持容量線に供給される保持容量電圧が前記ＶｓｔＨの保持容量電圧のときは、前記ＶｃｏｍＨよりも低電位のＶｃｏｍＬの対向電圧であることを特徴とする請求項１３または請求項１４に記載の液晶表示装置。
【請求項１６】
複数のサブピクセルと、前記各サブピクセルに映像電圧を入力する複数の映像線と、前記各サブピクセルに選択走査電圧を入力する複数の主走査線と、前記複数の主走査線のそれぞれに対応して設けられる複数の副走査線とを有する液晶表示パネルと、
前記複数の映像線に映像電圧を供給する映像線駆動回路と、
前記複数の主走査線に主走査電圧を供給する主走査線駆動回路と、
前記複数の副走査線に副走査電圧を供給する副走査線駆動回路とを備える液晶表示装置であって、
前記各サブピクセルは、画素電極と、
対向電極と、
主トランジスタと、
副トランジスタとを有し、
前記対向電極に対向電圧を供給する対向電圧生成回路を備え、
前記主トランジスタは、ゲート電極が前記主走査線に接続されるとともに、第１電極が前記映像線に接続され、また、第２電極が前記画素電極に接続され、
前記副トランジスタは、ゲート電極が前記副走査線に接続されるとともに、第１電極が前記対向電極に接続され、また、第２電極が前記画素電極に接続されることを特徴とする液晶表示装置。
【請求項１７】
前記主トランジスタの前記第２電極と前記対向電極との間、前記副トランジスタの前記第２電極と前記対向電極との間、あるいは、前記画素電極と前記対向電極との間のいずれかに設けられる保持容量を備えることを特徴とする請求項１６に記載の液晶表示装置。
【請求項１８】
前記対向電極は、全サブピクセルに対して共通に設けられていることを特徴とする請求項１６または請求項１７に記載の液晶表示装置。
【請求項１９】
前記対向電極は、１表示ライン毎に分割されていることを特徴とする請求項１６または請求項１７に記載の液晶表示装置。
【請求項２０】
前記副トランジスタの第１電極は、直前に走査される表示ラインの前記対向電極に接続されることを特徴とする請求項１９に記載の液晶表示装置。
【請求項２１】
前記副トランジスタの第１電極は、次に走査される表示ラインの前記対向電極に接続されることを特徴とする請求項１９に記載の液晶表示装置。
【請求項２２】
前記主走査線駆動回路は、第１期間内に前記主トランジスタをオンとし、前記第１期間に連続する第２乃至第４期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとし、前記第３期間に連続する前記第４期間に前記副トランジスタをオフとする副走査電圧を前記複数の副走査線に順次供給し、
前記対向電圧生成回路は、前記第１と第２期間にＶｃｏｍの電圧を、前記第３期間に前記Ｖｃｏｍよりも高電位のＶｃｏｍＨの電圧を、前記第４期間に前記Ｖｃｏｍよりも低電位のＶｃｏｍＬの電圧を前記各対向電極に供給することを特徴とする請求項１９ないし請求項２１のいずれか１項に記載の液晶表示装置。
【請求項２３】
前記主走査線駆動回路は、第１期間内に前記主トランジスタをオンとし、前記第１期間に連続する第２乃至第４期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとし、前記第３期間に連続する前記第４期間に前記副トランジスタをオフとする副走査電圧を前記複数の副走査線に順次供給し、
前記対向電圧生成回路は、前記第１乃至前記第３期間にＶｃｏｍの電圧を、前記第４期間に前記Ｖｃｏｍよりも低電位のＶｃｏｍＬの電圧を前記各対向電極に供給することを特徴とする請求項１９ないし請求項２１のいずれか１項に記載の液晶表示装置。
【請求項２４】
前記主走査線駆動回路は、第１期間内に前記主トランジスタをオンとし、前記第１期間に連続する第２乃至第４期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとし、前記第３期間に連続する前記第４期間に前記副トランジスタをオフとする副走査電圧を前記複数の副走査線に順次供給し、
前記対向電圧生成回路は、前記第１乃至第４期間にＶｃｏｍの一定の電圧を前記対向電極に供給し、
前記第１期間内に前記主トランジスタを介して前記画素電極に入力される映像電圧には、所定の電圧が重畳されていることを特徴とする請求項１６ないし請求項２１のいずれか１項に記載の液晶表示装置。
【請求項２５】
前記主走査線駆動回路は、第１期間内に前記主トランジスタをオンとし、前記第１期間に連続する第２乃至第４期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとし、前記第３期間に連続する前記第４期間に前記副トランジスタをオフとする副走査電圧を前記複数の副走査線に順次供給し、
前記対向電圧生成回路は、前記第１及び前記第２期間にＶｃｏｍＨの電圧を、前記第３及び第４期間に前記ＶｃｏｍＨよりも低電位のＶｃｏｍＬの電圧を前記各対向電極に供給することを特徴とする請求項１６ないし請求項２１のいずれか１項に記載の液晶表示装置。
【請求項２６】
前記主走査線駆動回路は、第１期間内に前記主トランジスタをオンとし、前記第１期間に連続する第２乃至第３期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとする副走査電圧を前記複数の副走査線に順次供給することを特徴とする請求項１６ないし請求項２１のいずれか１項に記載の液晶表示装置。
【請求項２７】
前記主走査線駆動回路は、第１期間内に前記主トランジスタをオンとし、前記第１期間に連続する第２乃至第３期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとする副走査電圧を前記複数の副走査線に順次供給し、
前記対向電圧生成回路は、前記第１乃至第３期間にＶｃｏｍの一定の電圧を前記各対向電極に供給することを特徴とする請求項１６ないし請求項２１のいずれか１項に記載の液晶表示装置。
【請求項２８】
複数のサブピクセルと、前記各サブピクセルに映像電圧を入力する複数の映像線と、前記各サブピクセルに選択走査電圧を入力する複数の主走査線と、前記複数の主走査線のそれぞれに対応して設けられる複数の副走査線とを有する液晶表示パネルと、
前記複数の映像線に映像電圧を供給する映像線駆動回路と、
前記複数の主走査線に主走査電圧を供給する主走査線駆動回路と、
前記複数の副走査線に副走査電圧を供給する副走査線駆動回路とを備える液晶表示装置であって、
前記各サブピクセルは、画素電極と、
透過部用の対向電極と、
反射部用の対向電極と、
主トランジスタと、
副トランジスタとを有し、
前記透過部用及び前記反射部用の対向電極に対向電圧を供給する対向電圧生成回路を備え、
前記主トランジスタは、ゲート電極が前記主走査線に接続されるとともに、第１電極が前記映像線に接続され、また、第２電極が前記画素電極に接続され、
前記副トランジスタは、ゲート電極が前記副走査線に接続されるとともに、第１電極が前記透過部用の対向電極に接続され、また、第２電極が前記画素電極に接続されることを特徴とする液晶表示装置。
【請求項２９】
前記反射部用の対向電極は、直前に走査される表示ラインの前記透過部用の対向電極であることを特徴とする請求項２８に記載の液晶表示装置。
【請求項３０】
前記反射部用の対向電極は、次に走査される表示ラインの前記透過部用の対向電極であることを特徴とする請求項２８に記載の液晶表示装置。
【請求項３１】
前記主走査線駆動回路は、第１期間内に前記主トランジスタをオンとし、前記第１期間に連続する第２乃至第３期間に前記主トランジスタをオフとする主走査電圧を前記複数の主走査線に順次供給し、
前記副走査線駆動回路は、前記第１期間と、前記第１期間に連続する前記第２期間に前記副トランジスタをオフとし、前記第２期間に連続する前記第３期間内に前記副トランジスタをオンとする副走査電圧を前記複数の副走査線に順次供給し、
前記映像線駆動回路から前記各映像線に供給する前記映像電圧が前記透過部用の対向電極に入力される対向電圧より高電位の時を正極性の映像電圧、前記映像線駆動回路から前記各映像線に供給する前記映像電圧が前記透過部用の対向電極に入力される対向電圧より低電位の時を負極性の映像電圧とするとき、前記対向電圧生成回路は、前記第１期間内に、前記映像線駆動回路から正極性の映像電圧を前記各映像線に供給するときには、ＶｃｏｍＬの対向電圧を前記透過部用の対向電極に供給し、前記第１期間内に、前記映像線駆動回路から負極性の映像電圧を前記各映像線に供給するときには、前記ＶｃｏｍＬよりも高電位のＶｃｏｍＨの対向電圧を前記透過部用の対向電極に供給することを特徴とする請求項２８ないし請求項３０のいずれか１項に記載の液晶表示装置。
【請求項３２】
前記第１期間と前記第２期間、および、前記第３期間と前記第４期間とで、１フレーム期間を構成し、
前記第１期間は、前記第２期間よりも短く、前記第３期間は、前記第４期間よりも短いことを特徴とする請求項７、請求項１３、請求項２２、請求項２３、請求項２４、または請求項２５に記載の液晶表示装置。
【請求項３３】
前記第１期間乃至前記第４期間で、１フレーム期間を構成し、
前記第１期間は、前記第２期間よりも短く、前記第３期間は、前記第４期間よりも短いことを特徴とする請求項７、請求項１３、請求項２２、請求項２３、請求項２４、または請求項２５に記載の液晶表示装置。
【請求項３４】
前記第１期間乃至前記第３期間で、１フレーム期間を構成し、
前記第１期間は、前記第２期間、あるいは、前記第３期間よりも短いことを特徴とする請求項８、請求項１４、請求項２６、請求項２７、または請求項３１に記載の液晶表示装置。
【発明の詳細な説明】
【技術分野】
【０００１】
本発明は、液晶表示装置に係り、特に、副走査配線に接続した副ＴＦＴにより保持容量配線あるいは共通電極の電圧を画素電極に供給することで黒挿入表示する液晶表示装置に関する。
【背景技術】
【０００２】
液晶表示装置（ＬＣＤ）のようなホールド型の表示装置において、１フレーム分の画像表示後に１フレーム分の全面黒表示の画面を表示することを繰り返し、画像と画像の間に黒表示画面を挿入し、見かけ上、ブラウン管（ＣＲＴ）のようなインパルス型表示に近づけて、動画ボヤケを改善することが知られている。
さらに、このままでは、動画ボヤケの改善が不十分だったりフリッカ（ちらつき）が見えたりする場合があるため、フレーム周波数を通常の２倍や３倍などに高めることも知られている。この場合に、黒挿入表示のための電圧は、通常の画像を表示するための映像電圧と同じく映像線を通して供給される。
一方、副薄膜トランジスタと副走査線とを備える画素構造を有し、液晶表示パネルを高精細化した場合でも、高コントラストで良好な表示が可能な液晶表示装置が下記特許文献１に開示されている。
【０００３】
なお、本願発明に関連する先行技術文献としては以下のものがある。
【特許文献１】特開２００１−１０８９６５号公報
【発明の開示】
【発明が解決しようとする課題】
【０００４】
従来の黒挿入表示技術では、動画ボヤケ改善とフリッカ防止のためにフレーム周波数を高めると、各走査線の選択時間が短くなり、各走査線に接続したトランジスタのオン時間が短くなるため、画素電極を所望の映像電圧まで十分に充電する（書き込む）ことが困難になり、そして、この書き込み不足により、輝度傾斜や表示むらが発生しやすくなるという問題点があった。
一方、書き込み不足を補うために駆動回路からの出力電圧を全体的に高めると消費電力が増大する、あるいは、フレーム周波数を高めることにより駆動回路全体の動作周波数も上昇するため、消費電力が増大するという問題点があった。
本発明は、前記従来技術の問題点を解決するためになされたものであり、本発明の目的は、液晶表示装置において、消費電力を増大させることなく、黒挿入表示を行うことが可能となる技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（Ａ）薄膜トランジスタを用いたアクティブマトリクス型液晶表示装置において、主走査線と、主走査線それぞれに対応して保持容量線と副走査線を設け、各サブピクセル毎に主トランジスタと副トランジスタを設ける。
副トランジスタのゲート電極を副走査線に接続し、副トランジスタのドレイン電極（またはソース電極）を保持容量線に接続し、副トランジスタのソース電極（またはドレイン電極）を画素電極に接続する。
主トランジスタのゲート電極を主走査線に接続し、主トランジスタのドレイン電極（またはソース電極）は映像線に接続し、主トランジスタのソース電極（またはドレイン電極）は画素電極に接続する。
主トランジスタ、副トランジスタのソース電極（またはドレイン電極）、あるいは画素電極の少なくともいずれかと保持容量線との間に保持容量を形成する。画素電極と対向電極（共通電極ともいう）との間に液晶層を介して画素容量を形成する。
ここで、副トランジスタのドレイン電極（またはソース電極）は、画面走査方向に対して着目しているサブピクセルの次に走査される側に隣接するサブピクセルの対向電極に接続してもよい。あるいは、副トランジスタのドレイン電極（またはソース電極）は、画面走査方向に対して着目しているサブピクセルの直前に走査される側に隣接するサブピクセルの対向電極に接続してもよい。
【０００６】
第１走査期間において、主走査線が選択状態になるとオン状態になった主トランジスタを介して映像線から画像信号に対応した映像電圧が画素電極に供給され、主走査線が非選択状態になると主トランジスタはオフ状態になり、画素電極に蓄積された電荷が保持される。第１走査期間の間、副走査線は非選択状態とする。これにより、各サブピクセルにおける画素容量に画像信号に対応した電圧が与えられて液晶層が動作し、画像が表示される。
第２期間走査において、主走査線が非選択状態のまま副走査線を選択状態にすると、主トランジスタがオフ状態のまま副トランジスタがオン状態になり、このオン状態の副トランジスタを介して保持容量線から保持容量電圧が画素電極に供給される。保持容量電圧と対向電極に供給される対向電圧との差を、利用する液晶表示モードの黒表示電圧程度に設定しておく。その後、主走査線と副走査線をともに非選択状態にして画素に蓄積された電荷を保持する動作をしても構わない。この場合、副走査線が選択状態から非選択状態に切り替わるのに伴って副トランジスタのゲート電極電圧を低下させることに起因する画素電極電圧へのフィードスルー電圧の大きさ程度だけ保持容量電圧を高く設定しておき、主走査線と副走査線がともに非選択状態になった後の画素電極電圧波形における直流電圧成分と対向電極に供給される対向電圧波形における直流電圧成分との差が結果的にほぼ０になるように設定することが望ましい。
【０００７】
第１走査期間と第２走査期間を交互に繰り返して交流駆動する。
液晶表示モードとして、電圧無印加状態で黒表示となるノーマリブラック（以下、ＮＢという）表示モードを用いた場合、保持容量電圧を対向電圧とほぼ等しく設定する。このとき、各保持容量線は共通化されていてもそれぞれ独立していてもよい。あるいは、保持容量電圧は第２走査期間毎に対向電圧に対する極性が交互に変化し、保持容量電圧と対向電圧との差の絶対値がＮＢ表示モードの黒表示電圧程度となるように設定してもよい。このときは、各保持容量線はそれぞれ独立しており、保持容量電圧は主走査線または副走査線の走査に同期して切り替える。
液晶表示モードとして、電圧無印加状態で白表示となるノーマリホワイト（以下、ＮＷという）表示モードを用いた場合、保持容量電圧は第２走査期間毎に対向電圧に対する極性が交互に変化し、保持容量電圧と対向電圧との差の絶対値がＮＷ表示モードの黒表示電圧程度となるように設定する。各保持容量線はそれぞれ独立しており、保持容量電圧は主走査線または副走査線の走査に同期して切り替える。
【０００８】
第１走査期間による画面の走査が始まってから終わるまでの間に、第２走査期間による画面の走査を開始する。第２走査期間の長さは必ずしも第１走査期間の長さと等しくなくてもよいが、第２走査期間から次の第２走査期間までの時間は第１走査期間から次の第１走査期間までの時間と等しくする。なお、第１走査期間による画面の走査が終わった後、第２走査期間による画面の走査を開始し、第２走査期間による画面の走査が終わった後で再び第１走査期間による画面の走査を開始しても構わない。
主トランジスタ、副トランジスタとしては、半導体層としてアモルファスシリコン（ａ−Ｓｉ）を使用するアモルファスシリコン薄膜トランジスタ（ＴＦＴ）や、半導体層としてポリシリコン（例えば、低温多結晶シリコン）を使用するポリシリコン薄膜トランジスタ（ＴＦＴ）や、半導体層として一般の結晶シリコンを使用するトランジスタなどを用いることができる。
保持容量電圧は、第１走査期間、第２走査期間それぞれにおいてほぼ一定であることが望ましい。また、対向電圧は、画素容量に印加される電圧波形における直流電圧成分がほぼ０になるように設定することが望ましい。
液晶表示モードとして、インプレーンスイッチング（ＩＰＳ）モードや垂直配向（ＶＡ）モード、複屈折型のツイステッドネマチックモード（ＴＮ）などのＮＢモードや、９０度ツイストのＴＮモード、ホモジニアス配向の電界制御複屈折（ＥＣＢ）モード、光学補償ベンド（ＯＣＢ）モードなどのＮＷモードを用いることができる。いずれの場合でも、透過型、反射型、部分透過反射型（半透過型）の画素構造や配向分割方式を採用しても構わない。
【０００９】
（Ｂ）ＩＰＳ表示モードの場合、ＮＢ表示モードであり、対向電極が保持容量線を兼ね、保持容量電圧は対向電極に供給される対向電圧に一致する。前記（Ａ）の第２走査期間において、主走査線が非選択状態のまま副走査線を選択状態にして主トランジスタがオフ状態のまま副トランジスタをオン状態に保ち、このオン状態の副トランジスタを介して対向電圧を画素電極に与え続け、第１走査期間に切り替わって主走査線が選択状態、副走査線が非選択状態にそれぞれなるまで保つ。各対向電極は共通化されていてもそれぞれ独立していてもよい。
あるいは、ＩＰＳ表示モードの場合、前記（Ａ）の第２走査期間において、主走査線が非選択状態のまま副走査線を選択状態にした後、主走査線と副走査線をともに非選択状態にする。このとき、主走査線が非選択状態のまま副走査線を選択状態にするのに同期して対向電圧を第１走査期間より上昇させ、主走査線と副走査線をともに非選択状態にするのに同期して対向電圧を低下させる。この対向電圧の低下量は、副走査線が選択状態から非選択状態に切り替わるのに伴って副トランジスタのゲート電極電圧を低下させることに起因する画素電極電圧へのフィードスルー電圧と、対向電圧を低下させること自体に起因する画素電極電圧へのフィードスルー電圧の大きさに合わせ、主走査線と副走査線がともに非選択状態になった後の画素電極電圧と対向電圧との差が結果的にほぼ０になるように設定する。第２走査期間の後、第１走査期間に切り替わって主走査線が選択状態、副走査線が非選択状態になるときに、対向電圧を再び第１走査期間における値に戻す。各対向電極はそれぞれ独立しており、対向電圧を前述のように主走査線および副走査線の走査に同期して切り替える。
あるいは、ＩＰＳ表示モードの場合、前記（Ａ）の第２走査期間において、主走査線が非選択状態のまま副走査線を選択状態にした後、主走査線と副走査線をともに非選択状態にする。このとき、対向電圧を、第１走査期間と第２走査期間を通じて画素容量に印加される電圧波形における直流電圧成分がほぼ０になるように設定する。各対向電極は共通化されていてもそれぞれ独立していてもよい。
【００１０】
（Ｃ）ＩＰＳ表示モードの場合、次のような構成をとることもできる。主走査線それぞれに対応して対向電極と副走査線を設け、各サブピクセル毎に主トランジスタと副トランジスタを設け、副トランジスタのゲート電極を副走査線に接続し、副トランジスタのドレイン電極（またはソース電極）を、画面走査方向に対して次に走査される側に隣接するサブピクセルの対向電極に接続し、副トランジスタのソース電極（またはドレイン電極）を画素電極に接続する。
主トランジスタのゲート電極は主走査線、主トランジスタのドレイン電極（またはソース電極）は映像線、主トランジスタのソース電極（またはドレイン電極）は画素電極にそれぞれ接続され、主トランジスタあるいは副トランジスタのソース電極（またはドレイン電極）もしくは画素電極の少なくともいずれかと対向電極との間に保持容量を形成する。画素電極と対向電極との間に少なくとも液晶層を介して画素容量を形成する。
前記（Ａ）の第２走査期間において、主走査線が非選択状態のまま副走査線を選択状態にした後、主走査線と副走査線をともに非選択状態にする。このとき、主走査線が非選択状態のまま副走査線を選択状態にするのに同期して、対向電圧を第１走査期間より低下させ、主走査線と副走査線をともに非選択状態にした後もその電圧を保つ。
【００１１】
画面走査方向に対して次に走査される側に隣接するサブピクセルの対向電極に供給される対向電圧は、そのサブピクセルの主走査線が非選択のまま副走査線を選択状態にするのに同期して変化させるため、着目しているサブピクセルが第２走査期間に切り替わって主走査線が非選択状態のまま副走査線が選択状態になっている間は、まだ第１走査期間における電圧を維持している。この対向電極に供給される対向電圧を低下させる大きさは、副走査線が選択状態から非選択状態に切り替わるのに伴って副トランジスタのゲート電極電圧を低下させることに起因する画素電極電圧へのフィードスルー電圧の大きさに合わせ、主走査線と副走査線がともに非選択状態になった後の画素電極電圧と、対向電圧との差が結果的にほぼ０になるように設定する。
第２走査期間の後、第１走査期間に切り替わって主走査線が選択状態、副走査線が非選択状態になるときに、対向電極に供給される対向電圧を再び第１走査期間における値に戻す。各対向電極はそれぞれ独立しており、対向電極に供給される対向電圧を前述のように主走査線および副走査線の走査に同期して切り替える。
あるいは、このＩＰＳ表示モードの画素構成の場合、前記（Ａ）の第２走査期間において、主走査線が非選択状態のまま副走査線を選択状態にして主トランジスタがオフ状態のまま副トランジスタをオン状態に保ち、このオン状態の副トランジスタを介して対向電極から対向電圧を画素電極に与え続ける。各対向電極は共通化されていてもそれぞれ独立していてもよい。
【００１２】
（Ｄ）１つのサブピクセル内にＮＢ表示モードのＩＰＳ表示モードによる透過部とＮＷ表示モードのＩＰＳ表示モードによる反射部とを併せ持つ場合、次のような構成をとる。
主走査線と、主走査線それぞれに対応して、透過部用の対向電極と、反射部用の対向電極と、副走査線を設け、各サブピクセル毎に主トランジスタと副トランジスタを設け、副トランジスタのゲート電極を副走査線に接続し、副トランジスタのドレイン電極（またはソース電極）を透過部用の対向電極に接続し、副トランジスタのソース電極（またはドレイン電極）を画素電極に接続する。
主トランジスタのゲート電極は主走査線、主トランジスタのドレイン電極（またはソース電極）は映像線、主トランジスタのソース電極（またはドレイン電極）は画素電極にそれぞれ接続され、主トランジスタあるいは副トランジスタのソース電極（またはドレイン電極）もしくは画素電極の少なくともいずれかと、透過部用の対向電極との間および反射部用の対向電極との間に保持容量を形成する。
画素電極と透過部用の対向電極との間、および画素電極と反射部用の対向電極との間にそれぞれ液晶層を介して透過部の画素容量および反射部の画素容量を形成する。
透過部用の対向電極（または反射部用の対向電極）は、画面走査方向に対して以前に走査される側に隣接するサブピクセルの反射部用の対向電極（または透過部用の対向電極）と共用する。反射部用の対向電極（または透過部用の対向電極）は、画面走査方向に対して次に走査される側に隣接するサブピクセルの透過部用の対向電極（または反射部用の対向電極）と共用する。
【００１３】
第１走査期間において、主走査線の選択時間をｔＬとしたとき、主走査線を選択状態にする直前の少なくともｔＬ以上前に、画面走査方向に対して以前に走査される側に隣接するサブピクセルの反射部用の対向電極（または透過部用の対向電極）と共用している透過部用の対向電極（または反射部用の対向電極）の電圧を切り替え、主走査線を選択状態にする時に、画面走査方向に対して次に走査される側に隣接するサブピクセルの透過部用の対向電極（または反射部用の対向電極）と共用している反射部用の対向電極（または透過部用の対向電極）の電圧を切り替える。
主走査線が選択状態になるとオン状態になった主トランジスタを介して映像線から画像信号に対応した映像電圧が画素電極に供給され、主走査線が非選択状態になると主トランジスタはオフ状態になり、画素電極に蓄積された電荷が保持される。
第１走査期間の間、副走査線は非選択状態とし、透過部用の対向電極に供給される対向電圧と、反射部用の対向電極に供給される対向電圧は異なる電圧とする。これにより、各サブピクセルにおける透過部には画素電極電圧と透過部用の対向電極に供給される対向電圧との差電圧が与えられて透過部の液晶層が動作し、反射部には画素電極電圧と反射部用の対向電極に供給される対向電圧との差電圧が与えられて反射部の液晶層が動作し、それぞれ透過表示画像と反射表示画像が表示される。
【００１４】
第２走査期間において、主走査線が非選択状態のまま副走査線を選択状態にして主トランジスタがオフ状態のまま副トランジスタをオン状態に保ち、このオン状態の副トランジスタを介して透過部用の対向電極に供給される対向電圧を画素電極に与え続け、第１走査期間に切り替わって主走査線が選択状態、副走査線が非選択状態にそれぞれなるまで保つ。透過部にはほぼ０の電圧が印加され、反射部には透過部用の対向電極に供給される対向電圧と反射部用の対向電極に供給される対向電圧の差電圧が印加される。透過部用の対向電極に供給される対向電圧と、反射部用の対向電極に供給される対向電圧の差を少なくとも、利用する液晶表示モードの黒表示電圧程度に設定しておく。
第１走査期間と第２走査期間を交互に繰り返して交流駆動する。各対向電極はそれぞれ独立しており、透過部用の対向電極に供給される対向電圧および反射部用の対向電極に供給される対向電圧を前述のように主走査線の走査に同期して切り替える。
【発明の効果】
【００１５】
本願において開示される発明のうち代表的なものによって得られる効果を簡単に説明すれば、下記の通りである。
本発明によれば、消費電力を増大させることなく、動画表示性能に優れ、明るく高画質の液晶表示装置を提供することが可能となる。
本発明では、第１期間で画像を表示し、第２期間において、画素電極電圧と、対向電圧との差電圧が、利用する表示モードの黒表示電圧程度になることにより、各サブピクセルにおける画素容量に黒表示に対応した電圧が与えられて黒表示画面を表示する。
第１期間と第２期間が交互に繰り返されることにより、画像と黒表示画面を交互に表示することができる。これにより、画像と画像の間に黒表示画面を挿入して動画質を改善することができる。
第１期間による画面の走査が始まってから終わるまでの間に、第２期間による画面の走査を開始することにより、画像と黒挿入画面の切り替え周期を短縮することができるため、見かけのフレーム周波数を高めることができる。
このため、動画ボヤケを改善するとともにフリッカを防止することができる。それと同時に、第１期間における主走査線の選択時間ｔＬを短縮する必要がないため、主トランジスタ（Ｑａ）をオン状態にして画素電極を所望の映像電圧まで十分に充電することができ、映像線駆動回路からの出力電圧を高めず消費電力を増大することなく輝度傾斜や表示ムラを発生しにくくすることができる。
また、実際のフレーム周波数を高める必要がないため、各駆動回路全体の動作周波数を上昇させずに済み、消費電力を増大させずに見かけのフレーム周波数を高めた黒挿入表示が可能になる。さらに、第２期間の長さは必ずしも第１期間の長さと等しくなくてもよいため、第２期間の長さを第１期間の長さより短くすることで、黒挿入画面の表示時間を画像表示時間より短縮することができるため、表示輝度の低下を抑制することができる。あるいは、第２期間の長さと第１期間の長さとの関係は、使用する液晶層の応答特性や必要とされる動画性能、表示輝度などに応じて調整することができる。
【発明を実施するための最良の形態】
【００１６】
以下、図面を参照して本発明の実施例を詳細に説明する。
なお、実施例を説明するための全図において、同一機能を有するものは同一符号を付け、その繰り返しの説明は省略する。
［実施例１］
図１−１は、本発明の実施例１の液晶表示装置の概略構成を示す図、図１−２は、本発明の実施例１の液晶表示装置の画素構造の等価回路を示す図、図１−３は、本発明の実施例１の液晶表示パネルの概略構造を示す要部断面図である。
本実施例の液晶表示装置は、薄膜トランジスタ（ＴＦＴ）を用いたアクティブマトリクス型液晶表示装置である。図１−３に示すように、本実施例の液晶表示パネルは、第１の基板（ＳＵＢ１）と、第２の基板（ＳＵＢ２）と、第１の基板（ＳＵＢ１）と第２の基板（ＳＵＢ２）との間に挟持される液晶層（ＬＣ）とを有する。本実施例では、第２の基板（ＳＵＢ２）が観察者側となっている。
第２の基板（ＳＵＢ２）には、第２の基板（ＳＵＢ２）から液晶層（ＬＣ）に向かって順に、ブラックマトリクス（ＢＭ）とカラーフィルタ（ＦＩＲ）、平坦化膜（ＯＣ）、対向電極（ＣＯＭ）、および配向膜（ＡＬ２）が形成される。
第１の基板（ＳＵＢ１）には、第１の基板（ＳＵＢ１）から液晶層（ＬＣ）に向かって順に、主走査線（ＭＳＣＮ；図１−３では図示せず）、副走査線（ＳＳＣＮ；図１−３では図示せず）、層間絶縁膜（ＰＡＳ３）、映像線（ＳＩＧ）、層間絶縁膜（ＰＡＳ２）、保持容量線（ＳＴＧ）、層間絶縁膜（ＰＡＳ１）、画素電極（Ｐ）および配向膜（ＡＬ１）が形成される。
なお、図示は省略するが、第１の基板（ＳＵＢ１）と第２の基板（ＳＵＢ２）の外側には、位相差板と偏光板が配置される。
【００１７】
本実施例では、図１−２に示すように、第１の基板（ＳＵＢ１）上に、主走査線（ＭＳＣＮ）と、主走査線（ＭＳＣＮ）それぞれに対応して保持容量線（ＳＴＧ）と副走査線（ＳＳＣＮ）を設け、これらに交差するように映像線（ＳＩＧ）を設ける。また、破線で示すように、主走査線（ＭＳＣＮ）と映像線（ＳＩＧ）とにより区画される各サブピクセル（ＰＩＸ）毎に主薄膜トランジスタ（Ｑａ）と、副薄膜トランジスタ（Ｑｂ）を設ける。
図１−１に示すように、主走査線（ＭＳＣＮ）は走査線駆動回路１０に、副走査線（ＳＳＣＮ）は副走査線駆動回路１１に、保持容量線（ＳＴＧ）は保持容量電圧生成回路１２に、映像線（ＳＩＧ）は映像線駆動回路１３に、対向電極（ＣＯＭ）は対向電圧生成回路１４に接続される。表示制御回路１５は、走査線駆動回路１０、副走査線駆動回路１１、保持容量電圧生成回路１２、映像線駆動回路１３、および対向電圧生成回路１４を制御・駆動する。なお、図１−１、および後述する図８−１において、ＡＲは表示領域である。
主トランジスタ（Ｑａ）、および副トランジスタ（Ｑｂ）は、半導体層としてアモルファスシリコン（ａ−Ｓｉ）を使用するアモルファスシリコン薄膜トランジスタ（ＴＦＴ）や、半導体層としてポリシリコンを使用するポリシリコン薄膜トランジスタ（ＴＦＴ）、半導体層として一般の結晶シリコンを使用するトランジスタなどで構成される。
また、前述および後述する各駆動回路（１０〜１３）は、半導体チップで構成され、第１の基板（ＳＵＢ１）あるいはフレキシブル配線基板上に実装される。あるいは、前述および後述する各駆動回路（１０〜１３）は、半導体層としてポリシリコンを使用するポリシリコン薄膜トランジスタ（ＴＦＴ）を用いて構成し、第１の基板（ＳＵＢ１）上に、主トランジスタ（Ｑａ）、あるいは、副トランジスタ（Ｑｂ）と一体に形成してもよい。
【００１８】
副薄膜トランジスタ（Ｑｂ）のゲート電極（ｇ）を副走査線（ＳＳＣＮ）に接続し、副薄膜トランジスタ（Ｑｂ）のドレイン電極（ｄ）を保持容量線（ＳＴＧ）に接続し、副薄膜トランジスタ（Ｑｂ）のソース電極（ｓ）を画素電極（Ｐ）に接続する。
主薄膜トランジスタ（Ｑａ）のゲート電極（Ｇ）を主走査線（ＭＳＣＮ）に接続し、主薄膜トランジスタ（Ｑａ）のドレイン電極（Ｄ）を映像線（ＳＩＧ）に接続し、主薄膜トランジスタ（Ｑａ）のソース電極（Ｓ）を画素電極（Ｐ）に接続する。
画素電極（Ｐ）と保持容量線（ＳＴＧ）の間に絶縁膜（図１−３のＰＡＳ１）を介して保持容量（Ｃｓｔ）を形成する。
対向電極（ＣＯＭ）が形成された第２の基板（ＳＵＢ２）と第１の基板（ＳＵＢ１）を互いの電極形成面が対向するように配置し、その間隙に液晶組成物を充填して、画素電極（Ｐ）と対向電極（ＣＯＭ）の間に液晶層（ＬＣ）を介して画素容量（Ｃｐｘ）を形成する。
第１および第２の基板の外側には、位相差板と偏光板（図示せず）を配置して、ＮＢ表示モードの液晶表示装置の構成としている。
主薄膜トランジスタ（Ｑａ）のゲート電極（Ｇ）とソース電極（Ｓ）との間には寄生容量（Ｃｇｓａ）が形成され、副薄膜トランジスタ（Ｑｂ）のゲート電極（ｇ）とソース電極（ｓ）との間には寄生容量（Ｃｇｓｂ）が形成される。
【００１９】
本実施例の液晶表示装置における各部の駆動電圧波形を図２−１に示す。図２−１（ａ）は画面の走査を開始する１表示ライン目の駆動電圧波形、図２−１（ｂ）は２表示ライン目の駆動電圧波形、図２−１（ｃ）は画面の走査を終了するＮ表示ライン目の駆動電圧波形を示す。駆動電圧波形は、各サブピクセル（ＰＩＸ）の画素電極（Ｐ）への電圧の印加および保持を主走査線（ＭＳＣＮ）により制御する第１期間と、副走査線（ＳＳＣＮ）により制御する第２期間とを交互に繰り返して構成する。
図２−１（ａ）において、ＶＧ１は画面先頭の１表示ライン目の主走査線（ＭＳＣＮ）の電圧波形、Ｖｇ１は１表示ライン目の副走査線（ＳＳＣＮ）の電圧波形、ＶＤは着目している映像線（ＳＩＧ）の電圧波形、Ｖｃｏｍは対向電極（ＣＯＭ）の電圧波形、Ｖｓｔは保持容量線（ＳＴＧ）の電圧波形、Ｖｓは着目しているサブピクセル（ＰＩＸ）の画素電極（Ｐ）の電圧波形であり、Ｖｐｘは画素電極電圧（Ｖｓ）と対向電圧（Ｖｃｏｍ）との差電圧として画素容量（Ｃｐｘ）に印加される液晶印加電圧である。
【００２０】
第１フレーム（Ｆｒａｍｅ１）の画面の走査の開始とともに１表示ライン目の第１期間を開始する。第１期間は、１表示ライン目の主走査線電圧（ＶＧ１）を、主薄膜トランジスタ（Ｑａ）のオン電圧（ＶＧＨ）にして、１表示ライン目の主走査線（ＭＳＣＮ）を選択状態にする期間［１］と、主走査線電圧（ＶＧ１）をオフ電圧（ＶＧＬ）にして主走査線（ＭＳＣＮ）を非選択状態にする期間［２］からなる。
第１期間の間、１表示ライン目の副走査線電圧（Ｖｇ１）を副薄膜トランジスタ（Ｑｂ）のオフ電圧（ＶＧＬ）に保って１表示ライン目の副走査線（ＳＳＣＮ）を非選択状態にすること以外は、一般的な薄膜トランジスタアクティブマトリクス駆動と同様である。
これにより、画像信号に応じた液晶印加電圧（Ｖｐｘ）が１表示ライン目の各画素容量（Ｃｐｘ）に与えられて液晶層（ＬＣ）が動作し、１表示ライン目の各サブピクセルに画像が表示される。
次に、期間［３］と期間［４］からなる第２期間に切り替える。第２期間の間、１表示ライン目の主走査線電圧（ＶＧ１）を主薄膜トランジスタ（Ｑａ）のオフ電圧（ＶＧＬ）に保って１表示ライン目の主走査線（ＭＳＣＮ）を非選択状態にしておく。
期間［３］において、１表示ライン目の副走査線電圧（Ｖｇ１）を、副薄膜トランジスタ（Ｑｂ）のオン電圧（ＶＧＨ）にして、１表示ライン目の副走査線（ＳＳＣＮ）を選択状態にすると、１表示ライン目の全サブピクセルの画素電極電圧（Ｖｓ）は副薄膜トランジスタ（Ｑｂ）を介して保持容量電圧（Ｖｓｔ）まで充電される。
【００２１】
期間［４］において、１表示ライン目の副走査線電圧（Ｖｇ１）を、副薄膜トランジスタ（Ｑｂ）のオフ電圧（ＶＧＬ）にして、１表示ライン目の副走査線（ＳＳＣＮ）を非選択状態にすると、副走査線電圧（Ｖｇ１）をオン電圧（ＶＧＨ）からオフ電圧（ＶＧＬ）に変化させたことと、副薄膜トランジスタ（Ｑｂ）の寄生容量（Ｃｇｓｂ）とに起因するフィードスルー電圧（ΔＶｓｇ）の分だけ１表示ライン目の全サブピクセルの画素電極電圧（Ｖｓ）が低下し、この状態が保持される。
【数１】
2008203627.tif 000003
前述の（１）式に示すように、保持容量電圧（Ｖｓｔ）を、対向電極（ＣＯＭ）に供給される対向電圧（Ｖｃｏｍ）に対してフィードスルー電圧（ΔＶｓｇ）の分だけ予め高く設定することにより、期間［４］において保持される画素電極電圧（Ｖｓ）を対向電圧（Ｖｃｏｍ）に等しくすることができるため、期間［４］における液晶印加電圧（Ｖｐｘ）を０にすることができる。
したがって、ＮＢ表示モードを使用しているため、１表示ライン目の全サブピクセルを黒表示にすることができる。
【００２２】
その後、再び第１期間に切り替える。このとき、第１期間は、期間［１］’と期間［２］’とからなり、前回の第１期間とは、対向電圧（Ｖｃｏｍ）に対する映像線（ＳＩＧ）の電圧（ＶＤ）の極性が逆であること以外は同様であり、液晶印加電圧（Ｖｐｘ）の極性が逆になるため、結果的に画素容量（Ｃｐｘ）は交流駆動されて画像が表示される。
その後、再び第２期間に切り替える。このとき、第２期間は、期間［３］’と期間［４］’とからなるが、前回の第２期間と同様であり、１表示ライン目の全サブピクセルを黒表示にすることができる。このような動作を繰り返すことにより、画像と黒表示を交互に表示することができる。
なお、本実施例では、期間［１］と期間［２］からなる第１期間を第１フレーム（Ｆｒａｍｅ１）に割り当て、期間［３］と期間［４］からなる第２期間を第２フレーム（Ｆｒａｍｅ２）に割り当て、期間［１］’と期間［２］’からなる第１期間を第３フレーム（Ｆｒａｍｅ３）に割り当て、期間［３］’と期間［４］’からなる第２期間を第４フレーム（Ｆｒａｍｅ４）に割り当てた。また、副走査線電圧波形Ｖｇ１は主走査線電圧波形ＶＧ１とタイミングが異なるだけで同じ形状にした。
【００２３】
図２−１（ｂ）において、ＶＧ２は２表示ライン目の主走査線（ＭＳＣＮ）の電圧波形、Ｖｇ２は２表示ライン目の副走査線（ＳＳＣＮ）の電圧波形であり、その他の記号は図２−１（ａ）の場合と同様である。
２表示ライン目の第１期間は、１表示ライン目の第１期間が期間［１］から期間［２］に切り替わるタイミングで開始し、１表示ライン目の場合と同様に２表示ライン目の各サブピクセルに画像信号に応じた画像が表示される。
２表示ライン目の第２期間は、１表示ライン目の第２期間が期間［３］から期間［４］に切り替わるタイミングで開始し、１表示ライン目の場合と同様に２表示ライン目の全サブピクセルを黒表示にすることができる。
その後、再び２表示ライン目の第１期間は、１表示ライン目の第１期間が期間［１］’から期間［２］’に切り替わるタイミングで開始し、２表示ライン目の第２期間は、１表示ライン目の第２期間が期間［３］’から期間［４］’に切り替わるタイミングで開始する。
これにより、２表示ライン目においても１表示ライン目と同様に画像と黒表示を交互に表示することができる。
【００２４】
このような動作は３表示ライン目以降についても同様である。図２−１（ｃ）において、ＶＧＮは画面最終表示ラインであるＮ表示ライン目の主走査線（ＭＳＣＮ）の電圧波形、ＶｇＮはＮ表示ライン目の副走査線（ＳＳＣＮ）の電圧波形であり、その他の記号は図２−１（ａ）の場合と同様である。また、Ｎ表示ライン目の第１期間および第２期間が開始するタイミングと、この１表示ライン前期間が切り替わるタイミングとの関係は、２表示ライン目以降の場合と同様である。これにより、Ｎ表示ライン目においても１表示ライン目以降と同様に画像と黒表示を交互に表示することができる。
なお、本実施例では、Ｎ表示ライン目の第１期間が、期間［１］から期間［２］（または期間［１］’から期間［２］’）に切り替わった後、画面先頭表示ラインである１表示ライン目が第１期間から第２期間になり、Ｎ表示ライン目の第２期間が、期間［３］から期間［４］（または期間［３］’から期間［４］’）に切り替わった後、１表示ライン目が第２期間から第１期間になる動作とした。
【００２５】
前述の動作により、第１期間で構成した画像表示画面と第２期間で構成した黒表示画面を交互に表示することが可能になるため、画像と画像の間に黒表示画面を挿入して動画質を改善することができる。
本実施例の液晶表示装置の変形例の各部の駆動電圧波形を図２−２に示す。図２−１に示す駆動電圧波形は、対向電極（ＣＯＭ）に供給される対向電圧（Ｖｃｏｍ）が各フレームにおいて一定であるのに対して、図２−２に示す駆動電圧波形は、対向電極（ＣＯＭ）に供給される対向電圧（Ｖｃｏｍ）が、映像線（ＳＩＧ）の電圧（ＶＤ）の極性に合わせて、正極性と負極性とに変化する。それ以外の構成は、図２−１に示す駆動電圧波形と同様である。
図２−２（ａ）は画面の走査を開始する表示ラインに対応する１表示ライン目の駆動電圧波形、図２−２（ｂ）は２表示ライン目の駆動電圧波形、図２−２（ｃ）は画面の走査を終了する表示ラインに対応するＮ表示ライン目の駆動電圧波形を示す。所謂、コモン交流駆動に対しても、本発明を適用することができる。
【００２６】
［実施例２］
本発明の実施例２の液晶表示装置は、駆動電圧波形が異なる以外は前述の実施例１と同様の構成である。
実施例２による液晶表示装置における各部の駆動電圧波形を図３に示す。図３（ａ）は画面の走査を開始する１表示ライン目の駆動電圧波形、図３（ｂ）は２表示ライン目の駆動電圧波形、図３（ｃ）は画面の走査を終了するＮ表示ライン目の駆動電圧波形を示す。前述の実施例１における図２−１と比較して、各走査期間を開始するタイミングが異なる駆動電圧波形とした。
図３（ａ）を例に説明する。第１フレーム（Ｆｒａｍｅ１）の画面の走査の開始とともに画面先頭表示ラインである１表示ライン目の第１期間を開始し、第１フレーム（Ｆｒａｍｅ１）内において遅延時間（ｔｄ）後に、期間［２］から期間［３］に切り替えて、第２期間を開始する。
その後、図３（ｃ）に示すように、第１期間による画面の走査が最終表示ラインであるＮ表示ライン目に到達した後、第２フレーム（Ｆｒａｍｅ２）の画面の走査を開始して、再び１表示ライン目の第１期間を開始し、第２フレーム（Ｆｒａｍｅ２）内においても、遅延時間（ｔｄ）後に期間［２］’から期間［３］’に切り替えて第２期間を開始する。
このような動作は、図３（ｂ）、図３（ｃ）に示すように、２表示ライン目以降についても同様である。すなわち、各フレームにおいて、フレーム期間の途中から副走査線（ＳＳＣＮ）による画面の走査を開始する動作としている。
【００２７】
前述の実施例１では、第１フレームを第１期間、第２フレームを第２期間に割り当てていたのに対して、本実施例２では、１フレーム内に第１期間および第２期間を存在させることができる。
このため、フレーム期間の長さを変更することなく２倍の周波数で画像と画像の間に黒表示画面を挿入することができ、より動画質改善に有効である。さらに、主走査線（ＭＳＣＮ）および副走査線（ＳＳＣＮ）の各表示ラインの選択時間が実施例１の場合と変わらないため、各表示ラインの主薄膜トランジスタ（Ｑａ）および副薄膜トランジスタ（Ｑｂ）をオン状態にして各画素電極電圧（Ｖｓ）をそれぞれ所望の電圧まで十分に充電できるようになり、駆動回路からの出力電圧を高めず消費電力を増大することなく輝度傾斜や表示ムラを発生しにくくすることができる。
また、画像と画像の間に２倍の周波数で黒表示画面を挿入することが、前述の実施例１の場合と等しいフレーム周波数のままでできるため、駆動回路全体の動作周波数を上昇させずに済み、消費電力を増大させずに見かけのフレーム周波数を高めた黒挿入表示が可能になる。
さらに、第２期間の長さは必ずしも第１期間の長さと等しくなくてもよいため、遅延時間（ｔｄ）を所望の時間に設定することにより、第２期間の長さを第１期間の長さより短くすることで黒挿入画面の表示時間を画像表示時間より短縮することができ、表示輝度の低下を抑制することができる。
遅延時間（ｔｄ）は、液晶層の応答特性や必要とされる動画性能、表示輝度などから決定してよいため、前記とは逆に第２期間の長さを第１期間の長さより長くすることで黒挿入画面の表示時間を画像表示時間より延長しても構わない。
【００２８】
［実施例３］
本発明の実施例３の液晶表示装置は、駆動電圧波形が異なる以外は前述の実施例１もしくは実施例２と同様の構成である。
本実施例３の液晶表示装置おける各部の駆動電圧波形を図４−１に示す。図４−１（ａ）は画面の走査を開始する１表示ライン目の駆動電圧波形、図４−１（ｂ）は２表示ライン目の駆動電圧波形を示す。
実施例１における図２−１、実施例２における図３と比較して次の点が異なる。まず、第２期間を期間［３］、期間［３］’だけから構成し、第２期間において各表示ラインの副走査線（ＳＳＣＮ）を選択状態のまま保って副薄膜トランジスタ（Ｑｂ）をオン状態にし続けるようにしている。
【数２】
2008203627.tif 000004
また、前述の（２）式に示すように、保持容量電圧（Ｖｓｔ）を対向電圧（Ｖｃｏｍ）と等しくしている。
【００２９】
図４−１（ａ）を例に説明する。１表示ライン目の第２期間において、１表示ライン目の副走査線電圧（Ｖｇ１）を副薄膜トランジスタ（Ｑｂ）のオン電圧（ＶＧＨ）にして１表示ライン目の副走査線（ＳＳＣＮ）を選択状態にすると、１表示ライン目の全サブピクセルの画素電極電圧（Ｖｓ）は、副薄膜トランジスタ（Ｑｂ）を介して対向電圧（Ｖｃｏｍ）に等しい保持容量電圧（Ｖｓｔ）まで充電される。その後、再び１表示ライン目の第１期間が開始されるまでこの状態を保つ。
第２期間の間、副薄膜トランジスタ（Ｑｂ）をオン状態からオフ状態に切り替えることがないため、副走査線電圧（Ｖｇ１）をオン電圧（ＶＧＨ）からオフ電圧（ＶＧＬ）に変化させることと、副薄膜トランジスタ（Ｑｂ）の寄生容量（Ｃｇｓｂ）とに起因する画素電極電圧（Ｖｓ）へのフィードスルー電圧（ΔＶｓｇ）が発生せず、フィードスルー電圧（ΔＶｓｇ）による画素電極電圧（Ｖｓ）の低下を考慮する必要がない。
これにより、１表示ライン目の画素電極電圧（Ｖｓ）を、対向電圧（Ｖｃｏｍ）に等しくすることができるため、第２期間の間、液晶印加電圧（Ｖｐｘ）を０にすることができる。
図４−１（ｂ）に示すように、２表示ライン目においても１表示ライン目と同様に駆動する。このような動作は３表示ライン目以降についても同様である。
第２期間において、副走査線（ＳＳＣＮ）を選択状態にして副薄膜トランジスタ（Ｑｂ）をオン状態にしたとき、保持容量線（ＳＴＧ）を通してその表示ラインの全サブピクセルに保持容量電圧（Ｖｓｔ）を供給しなければならない。
【００３０】
本実施例の液晶表示装置の変形例の各部の駆動電圧波形を図４−２に示す。図４−１に示す駆動電圧波形は、対向電極（ＣＯＭ）に供給される対向電圧（Ｖｃｏｍ）が各フレームにおいて一定であるのに対して、図４−２に示す駆動電圧波形は、対向電極（ＣＯＭ）に供給される対向電圧（Ｖｃｏｍ）が、映像線（ＳＩＧ）の電圧（ＶＤ）の極性に合わせて、正極性と負極性とに変化する。それ以外の構成は、図４−１に示す駆動電圧波形と同様である。
図４−２（ａ）は画面の走査を開始する１表示ライン目の駆動電圧波形、図４−２（ｂ）は２表示ライン目の駆動電圧波形を示す。前述の実施例１の変形例の場合と同様に、所謂、コモン交流駆動に対しても、本発明を適用することができる。
【００３１】
本実施例においては、副薄膜トランジスタ（Ｑｂ）をオン状態にしている時間を、前述の実施例１や実施例２の場合に比べて十分長く取ることができるため、各画素電極電圧（Ｖｓ）を保持容量電圧（Ｖｓｔ）まで、すなわち対向電圧（Ｖｃｏｍ）まで十分に充電することができる。これにより、確実に黒表示画面を表示することができる。
なお、実施例１〜３において、各保持容量線（ＳＴＧ）は共通化されていてもそれぞれ独立に制御されていても構わないが、保持容量線（ＳＴＧ）の抵抗低減の点では共通化されていることが望ましい。
また、前述の実施例１〜３において、ＮＢ表示モードとしては、垂直配向（ＶＡ）モードや複屈折型のツイステッドネマチック（ＴＮ）モードを用いることができる。
透過型、反射型、部分透過反射型（半透過型）の画素構造や配向分割方式を採用しても構わない。対向電極（ＣＯＭ）とは別に保持容量線（ＳＴＧ）を有するＮＢ表示モードのアクティブマトリクス型液晶表示装置であれば、あらゆる表示モードに対して有効である。
【００３２】
［実施例４］
本発明の実施例４の液晶表示装置の画素構造の等価回路は、前述の実施例１における図１と同じであるが、第１の基板（ＳＵＢ１）および第２の基板（ＳＵＢ１）の外側に配置される位相差板と偏光板（図示せず）の偏光方向を異ならせて、ＮＷ表示モードの液晶表示装置の構成とし、各保持容量線（ＳＴＧ）を独立に制御する点が異なっている。
本実施例４の液晶表示装置における各部の駆動電圧波形を図５−１に示す。図５−１（ａ）は画面の走査を開始する１表示ライン目の駆動電圧波形、図５−１（ｂ）は２表示ライン目の駆動電圧波形、図５−１（ｃ）は画面の走査を終了するＮ表示ライン目の駆動電圧波形を示す。
図５−１（ａ）、（ｂ）、（ｃ）は、それぞれ実施例１における、図２−１（ａ）、（ｂ）、（ｃ）に対応する波形であるが、各表示ラインの保持容量電圧波形を独立に変化させ、それぞれＶｓｔ１、Ｖｓｔ２、ＶｓｔＮとした点が異なる。
図５−１（ａ）を例に説明する。期間［１］と期間［２］からなる第１期間において、１表示ライン目の保持容量電圧（Ｖｓｔ１）を一定の電圧（ＶｓｔＨ）に保つ。これにより、保持容量（Ｃｓｔ）を通した画素電極電圧（Ｖｓ）へのフィードスルー電圧は発生しない。
次に、保持容量電圧（Ｖｓｔ１）をＶｓｔＨの電圧に保ったまま、期間［３］と期間［４］からなる第２期間に切り替える。第２期間の間、１表示ライン目の主走査線電圧（ＶＧ１）を主薄膜トランジスタ（Ｑａ）のオフ電圧（ＶＧＬ）に保って１表示ライン目の主走査線（ＭＳＣＮ）を非選択状態にしておく。
【００３３】
期間［３］において、１表示ライン目の副走査線電圧（Ｖｇ１）を副薄膜トランジスタ（Ｑｂ）のオン電圧（ＶＧＨ）にして、１表示ライン目の副走査線（ＳＳＣＮ）を選択状態にすると、１表示ライン目の全サブピクセルの画素電極電圧（Ｖｓ）は副薄膜トランジスタ（Ｑｂ）を介して保持容量電圧（Ｖｓｔ１）まで、すなわち、ＶｓｔＨの電圧まで充電される。
期間［４］において、１表示ライン目の副走査線電圧（Ｖｇ１）を副薄膜トランジスタ（Ｑｂ）のオフ電圧（ＶＧＬ）にして１表示ライン目の副走査線（ＳＳＣＮ）を非選択状態にすると、副走査線電圧（Ｖｇ１）をオン電圧（ＶＧＨ）からオフ電圧（ＶＧＬ）に変化させることと、副薄膜トランジスタ（Ｑｂ）の寄生容量（Ｃｇｓｂ）とに起因するフィードスルー電圧（ΔＶｓｇ）の分だけ１表示ライン目の全サブピクセルの画素電極電圧（Ｖｓ）が低下し、この状態が保持される。
予め、画素電圧（Ｖｓ）と対向電圧（Ｖｃｏｍ）の差である液晶印加電圧（Ｖｐｘ）がＮＷ表示モードの黒表示電圧程度になるように保持容量電圧（Ｖｓｔ１）を設定しておく。その後、再び第１期間を開始するのに伴って、保持容量電圧（Ｖｓｔ１）を対向電圧（Ｖｃｏｍ）に対して逆極性となる、異なる電圧レベルのＶｓｔＬの電圧に変化させて維持する。
【００３４】
保持容量電圧（Ｖｓｔ１）をＶｓｔＬの電圧に保ったまま、期間［３］’と期間［４］’からなる第２期間に切り替える。期間［３］’において、１表示ライン目の副走査線電圧（Ｖｇ１）を副薄膜トランジスタ（Ｑｂ）のオン電圧（ＶＧＨ）にして１表示ライン目の副走査線（ＳＳＣＮ）を選択状態にすると、１表示ライン目の全サブピクセルの画素電極電圧（Ｖｓ）は副薄膜トランジスタ（Ｑｂ）を介して保持容量電圧（Ｖｓｔ１）まで、すなわちＶｓｔＬの電圧まで充電される。
期間［４］’において、１表示ライン目の副走査線電圧（Ｖｇ１）を副薄膜トランジスタ（Ｑｂ）のオフ電圧（ＶＧＬ）にして１表示ライン目の副走査線（ＳＳＣＮ）を非選択状態にすると、副走査線電圧（Ｖｇ１）をオン電圧（ＶＧＨ）からオフ電圧（ＶＧＬ）に変化させることと、副薄膜トランジスタ（Ｑｂ）の寄生容量（Ｃｇｓｂ）とに起因するフィードスルー電圧（ΔＶｓｇ）の分だけ１表示ライン目の全サブピクセルの画素電極電圧（Ｖｓ）が低下し、この状態が保持される。
この時、保持容量電圧（Ｖｓｔ１）は、液晶印加電圧（Ｖｐｘ）が、ＮＷ表示モードの黒表示電圧程度であって、前回の第２期間における液晶印加電圧（Ｖｐｘ）と逆極性になるように設定しておく。
保持容量電圧（Ｖｓｔ）の、ＶｓｔＨとＶｓｔＬの２つの電圧レベルは、下記（３）式を満たし、下記（４）式で表わされる液晶印加電圧（Ｖｐｘ）が、ＮＷ表示モードの黒表示電圧程度になるように設定すればよい。
【００３５】
【数３】
2008203627.tif 000005
これにより、第２期間において、１表示ライン目の全サブピクセルを黒表示にすることができ、ＮＷ表示モードの黒挿入表示においても画素容量（Ｃｐｘ）を交流駆動することができる。このような動作は、図５−１（ｂ）、（ｃ）に示すように２表示ライン目以降についても同様である。
保持容量電圧（Ｖｓｔ２，ＶｓｔＮ）は、それぞれの表示ラインにおける第２期間から第１期間への切り替えに伴って変化させるため、各保持容量線（ＳＴＧ）は独立に制御する。
前述の動作により、ＮＷ表示モードにおいても、画像表示画面と黒表示画面を交互に表示することが可能になるため、画像と画像の間に黒表示画面を挿入して動画質を改善することができる。
【００３６】
本実施例の液晶表示装置の変形例の各部の駆動電圧波形を図５−２に示す。図５−１に示す駆動電圧波形は、対向電極（ＣＯＭ）に供給される対向電圧（Ｖｃｏｍ）が各フレームにおいて一定であるのに対して、図５−２に示す駆動電圧波形は、対向電極（ＣＯＭ）に供給される対向電圧（Ｖｃｏｍ）が、映像線（ＳＩＧ）の電圧（ＶＤ）の極性に合わせて、正極性と負極性とに変化する。それ以外の構成は、図５−１に示す駆動電圧波形と同様である。
図５−２（ａ）は画面の走査を開始する１表示ライン目の駆動電圧波形、図５−２（ｂ）は２表示ライン目の駆動電圧波形を示す。図５−２（ｃ）は画面の走査を終了するＮ表示ライン目の駆動電圧波形を示す。前述の実施例１の変形例や、実施例３の変形例の場合と同様に、ＮＷ表示モードにおけるコモン交流駆動に対しても、本発明を適用することができる。
【００３７】
なお、ＮＷ表示モードを用いた場合でも、前述の実施例２のように１フレーム期間の途中から副走査線（ＳＳＣＮ）による画面の走査を開始する駆動をしても構わない。その場合に得られる効果は実施例２の場合と同様である。
また、実施例３のように第２期間において各表示ラインの副走査線（ＳＳＣＮ）を選択状態に保ち続ける駆動をしても構わない。その場合に得られる効果は実施例３の場合と同様である。
本実施例では、各表示ラインの保持容量電圧（Ｖｓｔ）はそれぞれの表示ラインにおける第２期間から第１期間への切り替えに同期して変化させたが、各走査期間内でほぼ一定に保たれていればよく、第１期間から第２期間への切り替えに伴って変化させても構わない。
【００３８】
本実施例におけるＮＷ表示モードとしては、９０度ツイストのＴＮモード、ホモジニアス配向のＥＣＢモード、ＯＣＢモードなどを用いることができる。透過型、反射型、部分透過反射型（半透過型）の画素構造や配向分割方式を採用しても構わない。対向電極（ＣＯＭ）とは別に保持容量線（ＳＴＧ）を有するＮＷ表示モードのアクティブマトリクス型液晶表示装置であれば、あらゆる表示モードに対して有効である。
また、本実施例は、ＮＢ表示モードにも応用することができる。その場合、保持容量電圧（Ｖｓｔ）の、ＶｓｔＨとＶｓｔＬの２つの電圧レベルは、前述の（３）式を満たし、前述の（４）式で表わされる、期間［４］、期間［４］’における液晶印加電圧（Ｖｐｘ）がＮＢ表示モードの黒表示電圧程度になるように設定しておけばよい。
実施例１〜４においては、保持容量（Ｃｓｔ）は画素電極（Ｐ）と保持容量線（ＳＴＧ）の間に絶縁膜を介して形成したが、主薄膜トランジスタ（Ｑａ）のソース電極電極（Ｓ）と保持容量線（ＳＴＧ）との間に絶縁膜を介して形成したり、副薄膜トランジスタ（Ｑｂ）のソース電極（ｓ）と保持容量線（ＳＴＧ）との間に絶縁膜を介して形成したりしてもよい。また、これらを組み合わせて形成しても構わない。
【００３９】
［実施例５］
本発明の実施例５の液晶表示装置は、前述の実施例１〜４の液晶表示装置と比して、画素構造が異なっている。
図６は、本発明の実施例５の液晶表示装置の画素構造の等価回路を示す図であり、前述実施例１の図１−２と比較して次の点が異なっている。
着目しているサブピクセル（ＰＩＸ）における副薄膜トランジスタ（Ｑｂ）のドレイン電極（ｄ）を、画面走査方向（ＤＩＲ）に対して着目しているサブピクセル（ＰＩＸ）の次に走査される側に隣接するサブピクセルの保持容量線（ＳＴＧ）に接続する。
なお、画面の走査を終了する画面最終表示ラインについては、画面走査方向（ＤＩＲ）に対して次に走査される側に隣接する表示ラインとしてダミーサブピクセルもしくはダミー保持容量線（ＳＴＧ）を設けておき、画面最終表示ラインのサブピクセルにおける副薄膜トランジスタ（Ｑｂ）のドレイン電極（ｄ）を接続する。
【００４０】
［実施例６］
本発明の実施例６の液晶表示装置は、前述の実施例１〜４の液晶表示装置と比して、画素構造が異なっている。
図７は、本発明の実施例６の液晶表示装置の画素構造の等価回路を示す図であり、前述の実施例１における図１−２と比較して次の点が異なっている。
着目しているサブピクセル（ＰＩＸ）の副薄膜トランジスタ（Ｑｂ）のドレイン電極（ｄ）を、画面走査方向（ＤＩＲ）に対して着目しているサブピクセル（ＰＩＸ）の直前に走査される側に隣接するサブピクセルの保持容量線（ＳＴＧ）に接続している。
なお、画面の走査を開始する画面先頭表示ラインについては、画面走査方向（ＤＩＲ）に対して直前に走査される側に隣接する表示ラインとしてダミーサブピクセルもしくはダミー保持容量線（ＳＴＧ）を設けておき、画面先頭表示ラインのサブピクセルにおける副薄膜トランジスタ（Ｑｂ）のドレイン電極（ｄ）を接続する。
前述の実施例５および本実施例６の駆動方法としては、使用する液晶表示モードに応じて前述の実施例１〜４における駆動電圧波形を適用することができる。その場合に得られる効果は実施例１〜４の場合と同様である。
【００４１】
［実施例７］
本実施例７、および後述する実施例８〜１０は、ＩＰＳ表示モードの液晶表示装置における実施例である。
図８−１は、本発明の実施例７の液晶表示装置の概略構成を示す図、図８−２は、本発明の実施例７の液晶表示装置の画素構造の等価回路を示す図、図８−３は、本発明の実施例７の液晶表示パネルの概略構造を示す要部断面図である。
本実施例の液晶表示装置は、薄膜トランジスタ（ＴＦＴ）を用いたアクティブマトリクス型液晶表示装置である。図８−３に示すように、本実施例の液晶表示パネルは、第１の基板（ＳＵＢ１）と、第２の基板（ＳＵＢ２）と、第１の基板（ＳＵＢ１）と第２の基板（ＳＵＢ２）との間に挟持される液晶層（ＬＣ）とを有する。本実施例では、第２の基板（ＳＵＢ２）が観察者側となっている。
第２の基板（ＳＵＢ２）には、第２の基板（ＳＵＢ２）から液晶層（ＬＣ）に向かって順に、ブラックマトリクス（ＢＭ）とカラーフィルタ（ＦＩＲ）、平坦化膜（ＯＣ）、および配向膜（ＡＬ２）が形成される。
第１の基板（ＳＵＢ１）には、第１の基板（ＳＵＢ１）から液晶層（ＬＣ）に向かって順に、主走査線（ＭＳＣＮ；図８−３では図示せず）、副走査線（ＳＳＣＮ；図８−３では図示せず）、層間絶縁膜（ＰＡＳ３）、映像線（ＳＩＧ）、層間絶縁膜（ＰＡＳ２）、対向電極（ＣＯＭ）、層間絶縁膜（ＰＡＳ１）、画素電極（Ｐ）および配向膜（ＡＬ１）が形成される。
なお、図示は省略するが、第１の基板（ＳＵＢ１）と第２の基板（ＳＵＢ２）の外側には、位相差板と偏光板が配置される。
また、図８−２に示すように、本実施例では、第１の基板（ＳＵＢ１）上に、主走査線（ＭＳＣＮ）と、主走査線（ＭＳＣＮ）それぞれに対応して保持容量線を兼ねる対向電極（ＣＯＭ）と副走査線（ＳＳＣＮ）を設け、これらに交差するように映像線（ＳＩＧ）を設ける。また、破線で示したように、主走査線（ＭＳＣＮ）と映像線（ＳＩＧ）とにより区画される各サブピクセル（ＰＩＸ）毎に主薄膜トランジスタ（Ｑａ）と副薄膜トランジスタ（Ｑｂ）を設ける。
【００４２】
図８−１に示すように、主走査線（ＭＳＣＮ）は走査線駆動回路１０に、副走査線（ＳＳＣＮ）は副走査線駆動回路１１に、映像線（ＳＩＧ）は映像線駆動回路１３に、対向電極（ＣＯＭ）は対向電圧生成回路１４に接続される。
副薄膜トランジスタ（Ｑｂ）のゲート電極（ｇ）を副走査線（ＳＳＣＮ）に接続し、副薄膜トランジスタ（Ｑｂ）のドレイン電極（ｄ）を対向電極（ＣＯＭ）に接続し、副薄膜トランジスタ（Ｑｂ）のソース電極（ｓ）を画素電極（Ｐ）に接続する。
主薄膜トランジスタ（Ｑａ）のゲート電極（Ｇ）は主走査線（ＭＳＣＮ）に接続し、主薄膜トランジスタ（Ｑａ）のドレイン電極（Ｄ）は映像線（ＳＩＧ）に接続し、主薄膜トランジスタ（Ｑａ）のソース電極（Ｓ）は画素電極（Ｐ）に接続する。
画素電極（Ｐ）は、短冊状もしくは櫛歯状の平面形状とし、画素電極（Ｐ）と対向電極（ＣＯＭ）の間に液晶層（ＬＣ）を介して第１の基板（ＳＵＢ１）の表面と平行な電界を発生して画素容量（Ｃｐｘ）を形成するＩＰＳ構造の電極配置とした。画素電極（Ｐ）と対向電極（ＣＯＭ）の間には、絶縁膜（図８−３のＰＡＳ１）を介して保持容量（Ｃｓｔ）を形成される。
第１および第２の基板の外側には、位相差板と偏光板（図示せず）を配置して、ＮＢ表示モードの液晶表示装置の構成としている。
主薄膜トランジスタ（Ｑａ）のゲート電極（Ｇ）とソース電極（Ｓ）との間には寄生容量（Ｃｇｓａ）が形成され、副薄膜トランジスタ（Ｑｂ）のゲート電極（ｇ）とソース電極（ｓ）との間には寄生容量（Ｃｇｓｂ）が形成される。
本実施例の液晶表示装置は、対向電極（ＣＯＭ）が保持容量線を兼ねるため、保持容量電圧（Ｖｓｔ）と対向電極に供給される対向電圧（Ｖｃｏｍ）は等しい。よって前述の実施例３と同じ駆動電圧波形で駆動することができる。すなわち、ＩＰＳ表示モードにおいても本発明による黒挿入表示が可能であり、その効果も他の実施例と同等である。
なお、各対向電極（ＣＯＭ）は共通化されていてもそれぞれ独立に制御されていても構わないが、対向電極（ＣＯＭ）の抵抗低減の点では共通化されていることが望ましい。
【００４３】
［実施例８］
本発明の実施例８の液晶表示装置は、駆動電圧波形が異なる以外は前述の実施例７と同様の構成である。
本実施例の液晶表示装置における各部の駆動電圧波形を図９に示す。図９（ａ）は１表示ライン目の駆動電圧波形、図９（ｂ）は２表示ライン目の駆動電圧波形、図９（ｃ）はＮ表示ライン目の駆動電圧波形を示す。
前述の実施例１や実施例２の場合と同様に、第２期間は主走査線（ＭＳＣＮ）を非選択状態に保ったまま副走査線（ＳＳＣＮ）を選択状態にする期間［３］（または期間［３］’）と非選択状態にする期間［４］（または期間［４］’）から構成される。
Ｖｃｏｍ１は１表示ライン目の対向電極（ＣＯＭ）の電圧波形、Ｖｃｏｍ２は２表示ライン目の対向電極（ＣＯＭ）の電圧波形、ＶｃｏｍＮはＮ表示ライン目の対向電極（ＣＯＭ）の電圧波形であり、各対向電極（ＣＯＭ）はそれぞれ独立に制御する。
図９（ａ）を例に説明する。期間［１］と期間［２］からなる第１期間の後、期間［３］と期間［４］からなる第２期間に切り替える。
第２期間の間、１表示ライン目の主走査線電圧（ＶＧ１）を、主薄膜トランジスタ（Ｑａ）のオフ電圧（ＶＧＬ）に保って、１表示ライン目の主走査線（ＭＳＣＮ）を非選択状態にする。１表示ライン目の第２期間において、１表示ライン目の対向電極に供給される対向電圧（Ｖｃｏｍ１）は、期間［３］を開始するのに同期して第１期間における値より上昇させてＶｃｏｍＨの電圧とし、期間［４］に切り替えるのに同期して低下させてＶｃｏｍＬの電圧とする。
【００４４】
期間［３］では、１表示ライン目の副走査線電圧（Ｖｇ１）を副薄膜トランジスタ（Ｑｂ）のオン電圧（ＶＧＨ）にして１表示ライン目の副走査線（ＳＳＣＮ）を選択状態にすると、１表示ライン目の全サブピクセルの画素電極電圧（Ｖｓ）は、副薄膜トランジスタ（Ｑｂ）を介して上昇後の対向電極（ＣＯＭ）に供給される対向電圧（ＶｃｏｍＨ）まで充電される。
期間［４］において、１表示ライン目の副走査線電圧（Ｖｇ１）を副薄膜トランジスタ（Ｑｂ）のオフ電圧（ＶＧＬ）にして１表示ライン目の副走査線を非選択状態にすると、１表示ライン目の全サブピクセルの画素電極電圧（Ｖｓ）は、副走査線電圧（Ｖｇ１）をオン電圧（ＶＧＨ）からオフ電圧（ＶＧＬ）に変化させることと、寄生容量（Ｃｇｓｂ）とに起因するフィードスルー電圧（ΔＶｇｓ）と、１表示ライン目の対向電極に供給される対向電圧（Ｖｃｏｍ１）をＶｃｏｍＨからＶｃｏｍＬに低下させることと、画素容量（Ｃｐｘ）および保持容量（Ｃｓｔ）とに起因するフィードスルー電圧（ΔＶｐｓ）の分だけ低下し、この状態が保持される。
対向電極（ＣＯＭ）に供給される対向電圧（Ｖｃｏｍ１）を低下させる前のＶｃｏｍＨの電圧に対して、低下させた後のＶｃｏｍＬの電圧を、下記（５）式に示すような値に、予め設定することにより、期間［４］において保持される画素電極電圧（Ｖｓ）と対向電圧（Ｖｃｏｍ１）（＝ＶｃｏｍＬ）との差を結果的に０にすることができる。
【００４５】
【数４】
2008203627.tif 000006
これにより、１表示ライン目の全サブピクセルにおける液晶印加電圧（Ｖｐｘ）を０にして黒表示することができる。
その後、第２期間から第１期間に切り替えるのに同期して、対向電圧（Ｖｃｏｍ１）を再び第１期間における値に戻す。再び第２期間に切り替えて期間［３］’を開始した後も同様に駆動する。このような動作は図９（ｂ）、（ｃ）に示すように２表示ライン目以降についても同様である。
本実施例においても、画像表示画面と黒表示画面を交互に表示することが可能になるため、画像と画像の間に黒表示画面を挿入して動画質を改善することができる。
本実施例では、期間［２］から期間［３］に切り替わるときに対向電圧（Ｖｃｏｍ）を一度上昇させてから、期間［３］から期間［４］に切り替わるときに低下させたが、期間［３］から期間［４］に切り替わるときの画素電極電圧（Ｖｓ）へのフィードスルー電圧が十分小さい場合には、必ずしも期間［２］から期間［３］に切り替わるときに上昇させなくてもよい。
【００４６】
［実施例９］
本発明の実施例９の液晶表示装置は、駆動電圧波形が異なる以外は前述の実施例７と同様の構成である。
本実施例の液晶表示装置における各部の駆動電圧波形を図１０に示す。図１０（ａ）は１表示ライン目の駆動電圧波形、図１０（ｂ）は２表示ライン目の駆動電圧波形、図１０（ｃ）はＮ表示ライン目の駆動電圧波形を示す。
前述の実施例１や実施例２の場合と同様に、第２期間は主走査線（ＭＳＣＮ）を非選択状態に保ったまま副走査線（ＳＳＣＮ）を選択状態にする期間［３］（または期間［３］’）と非選択状態にする期間［４］（または期間［４］’）から構成される。
Ｖｃｏｍは対向電極（ＣＯＭ）の電圧波形である。実施例８における図９と比較して、対向電極に供給される対向電圧（Ｖｃｏｍ）を一定に保つ点が異なる。
図１０（ａ）を例に説明する。期間［１］と期間［２］からなる第１期間の後、期間［３］と期間［４］からなる第２期間に切り替える。
第２期間の間、１表示ライン目の主走査線電圧（ＶＧ１）を主薄膜トランジスタ（Ｑａ）のオフ電圧（ＶＧＬ）に保って１表示ライン目の主走査線（ＭＳＣＮ）を非選択状態にする。１表示ライン目の第２期間において、期間［３］では、１表示ライン目の副走査線電圧（Ｖｇ１）を副薄膜トランジスタ（Ｑｂ）のオン電圧（ＶＧＨ）にして１表示ライン目の副走査線（ＳＳＣＮ）を選択状態にすると、１表示ライン目の全サブピクセルの画素電極電圧（Ｖｓ）は、副薄膜トランジスタ（Ｑｂ）を介して、対向電極（ＣＯＭ）に供給される対向電圧（Ｖｃｏｍ）まで充電される。
【００４７】
期間［４］において、１表示ライン目の副走査線電圧（Ｖｇ１）を副薄膜トランジスタ（Ｑｂ）のオフ電圧（ＶＧＬ）にして１表示ライン目の副走査線（ＳＳＣＮ）を非選択状態にすると、副走査線電圧（Ｖｇ１）をオン電圧（ＶＧＬ）からオフ電圧（ＶＧＬ）に変化させることと、副薄膜トランジスタ（Ｑｂ）の寄生容量（Ｃｇｓｂ）とに起因するフィードスルー電圧（ΔＶｓｇ）の分だけ１表示ライン目の全サブピクセルの画素電極電圧（Ｖｓ）が低下し、この状態が保持される。
画素電圧（Ｖｓ）と対向電圧（Ｖｃｏｍ）の差である液晶印加電圧（Ｖｐｘ）が、下記（６）式に示すように０ではなくなるが、その値がＮＢ表示モードであるＩＰＳ表示モードの黒表示電圧程度より小さくなるように各容量値を設定しておく。
【数５】
2008203627.tif 000007
【００４８】
その後、再び第２期間になったときも同様の動作となるため、黒表示している第２期間だけを見ると液晶印加電圧（Ｖｐｘ）が常に負の直流電圧となり、画素容量（Ｃｐｘ）を直流駆動することになってしまう。
この直流電圧成分を補償するために、画像表示するための第１期間に、画像信号（図１０のＶｐｘＡＣ）に逆極性の直流電圧（図１０のＶｐｘＤＣ）を重畳し、第１期間と第２期間を通して見た場合に液晶印加電圧（Ｖｐｘ）における直流電圧成分が０になるように、対向電圧（Ｖｃｏｍ）と映像線（ＳＩＧ）の電圧（ＶＤ）との関係を設定する。この関係を、前述の式（７）に示す。なお、（７）式において、ＶＤＡおよびＶＤＢはそれぞれ期間［１］および期間［１］’における映像線（ＳＩＧ）の電圧である。
このような動作は図１０（ｂ）、（ｃ）に示すように２表示ライン目以降についても同様である。
本実施例においても、画像表示画面と黒表示画面を交互に表示することが可能になるため、画像と画像の間に黒表示画面を挿入して動画質を改善することができる。なお、各対向電極（ＣＯＭ）は共通化されていてもそれぞれ独立に制御されていても構わないが、対向電極の抵抗低減の点では共通化されていることが望ましい。
また、実施例７〜９においても、前述の実施例２のように１フレーム期間の途中から副走査線（ＳＳＣＮ）による画面の走査を開始する駆動をしても構わない。その場合に得られる効果は実施例２の場合と同様である。
さらに、実施例７〜９のうちでは、液晶表示装置の構造として対向電極（ＣＯＭ）を共通化することができ、駆動電圧波形が複雑でなく、各容量値の制約が緩く、確実に黒挿入表示が可能であるため、実施例７が最も望ましい。
【００４９】
［実施例１０］
本発明の実施例１０の液晶表示装置は、ＩＰＳ表示モードの液晶表示装置における他の実施例である。図１１は、本発明の実施例１０の液晶表示装置の画素構造の等価回路を示す図である。
本実施例は、薄膜トランジスタを用いたアクティブマトリクス型液晶表示装置である。本実施例では、第１の基板（ＳＵＢ１）上に、主走査線（ＭＳＣＮ）と、主走査線（ＭＳＣＮ）それぞれに対応して保持容量線を兼ねる対向電極（ＣＯＭ）と副走査線（ＳＳＣＮ）を設け、これらに交差するように映像線（ＳＩＧ）を設け、破線で示したように、主走査線（ＭＳＣＮ）と映像線（ＳＩＧ）とにより区画される各サブピクセル（ＰＩＸ）毎に主薄膜トランジスタ（Ｑａ）と副薄膜トランジスタ（Ｑｂ）を設ける。
副薄膜トランジスタ（Ｑｂ）のゲート電極（ｇ）を副走査線（ＳＳＣＮ）に接続し、副薄膜トランジスタ（Ｑｂ）のドレイン電極（ｄ）を、画面走査方向（ＤＩＲ）に対して次に走査される側に隣接するサブピクセルの対向電極（ＣＯＭ）に接続し、副薄膜トランジスタ（Ｑｂ）のソース電極（ｓ）を画素電極（Ｐ）に接続する。
主薄膜トランジスタ（Ｑａ）のゲート電極（Ｇ）は主走査線（ＭＳＣＮ）に接続し、主薄膜トランジスタ（Ｑａ）のドレイン電極（Ｄ）は映像線（ＳＩＧ）に接続し、主薄膜トランジスタ（Ｑａ）のソース電極（Ｓ）は画素電極（Ｐ）に接続する。
画素電極（Ｐ）は、短冊状もしくは櫛歯状の平面形状とし、画素電極（Ｐ）と対向電極（ＣＯＭ）の間に液晶層（ＬＣ）を介して第１の基板（ＳＵＢ１）の表面と平行な電界を発生して画素容量（Ｃｐｘ）を形成するＩＰＳ構造の電極配置とした。画素電極（Ｐ）と対向電極（ＣＯＭ）の間に絶縁膜（図８−３のＰＡＳ１）を介して保持容量（Ｃｓｔ）を形成する。
【００５０】
第２の基板（ＳＵＢ２）と第１の基板（ＳＵＢ１）が液晶層（ＬＣ）を介して対向するように配置し、その間隙に液晶組成物を充填する。第１の基板（ＳＵＢ１）および第２の基板（ＳＵＢ２）の外側には、位相差板と偏光板（図示せず）を配置して、ＮＢ表示モードの液晶表示装置の構成としている。
また、主走査線（ＭＳＣＮ）は走査線駆動回路１０に、副走査線（ＳＳＣＮ）は副走査線駆動回路１１に、映像線（ＳＩＧ）は映像線駆動回路１３に、対向電極（ＣＯＭ）は対向電圧生成回路１４に接続される。
主薄膜トランジスタ（Ｑａ）のゲート電極（Ｇ）とソース電極（Ｓ）との間には寄生容量（Ｃｇｓａ）が形成され、副薄膜トランジスタ（Ｑｂ）のゲート電極（ｇ）とソース電極（ｓ）との間には寄生容量（Ｃｇｓｂ）が形成される。
本実施例の液晶表示装置における各部の駆動電圧波形を図１２−１に示す。図１２−１（ａ）は画面の走査を開始する１表示ライン目の駆動電圧波形、図１２−１（ｂ）は２表示ライン目の駆動電圧波形、図１２−１（ｃ）は画面の走査を終了するＮ表示ライン目の駆動電圧波形を示す。
【００５１】
前述の実施例１や実施例２の場合と同様に、第２期間は主走査線（ＭＳＣＮ）を非選択状態に保ったまま副走査線（ＳＳＣＮ）を選択状態にする期間［３］（または期間［３］’）と非選択状態にする期間［４］（または期間［４］’）から構成する。
Ｖｃｏｍ１は１表示ライン目の対向電極（ＣＯＭ）の電圧波形、Ｖｃｏｍ２は２表示ライン目の対向電極（ＣＯＭ）の電圧波形、ＶｃｏｍＮはＮ表示ライン目の対向電極（ＣＯＭ）の電圧波形であり、各対向電極はそれぞれ独立に制御する。
図１２−１（ａ）を例に説明する。期間［１］と期間［２］からなる第１期間の後、期間［３］と期間［４］からなる第２期間に切り替える。第２期間の間、１表示ライン目の主走査線電圧（ＶＧ１）を、主薄膜トランジスタ（Ｑａ）のオフ電圧（ＶＧＬ）に保って１表示ライン目の主走査線（ＭＳＣＮ）を非選択状態にする。１表示ライン目の第２期間において、１表示ライン目の対向電極に供給される対向電圧（Ｖｃｏｍ１）は、期間［３］を開始するのに同期して第１期間におけるＶｃｏｍＨの電圧より低下させてＶｃｏｍＬの電圧とし、期間［４］に切り替えた後もその値を保ち続ける。
画面走査方向（ＤＩＲ）に対して次に走査される側に隣接する２表示ライン目の対向電極（ＣＯＭ）に供給される対向電圧（Ｖｃｏｍ２）は、２表示ライン目が第２期間に切り替わって２表示ライン目における期間［３］が開始されるのに同期して電圧レベルを変化させることになるため、１表示ライン目の第２期間における期間［３］では、第１期間におけるＶｃｏｍＨの電圧を維持している。
【００５２】
したがって、１表示ライン目の副走査線電圧（Ｖｇ１）が副薄膜トランジスタ（Ｑｂ）のオン電圧（ＶＧＨ）になって１表示ライン目の副走査線（ＳＳＣＮ）が選択状態になると、１表示ライン目の全サブピクセルの画素電極電圧（Ｖｓ）は副薄膜トランジスタ（Ｑｂ）を介して２表示ライン目の対向電極に供給される対向電圧（Ｖｃｏｍ２）まで、すなわちＶｃｏｍＨの電圧まで充電される。
期間［４］において、１表示ライン目の副走査線電圧（Ｖｇ１）を副薄膜トランジスタ（Ｑｂ）のオフ電圧（ＶＧＬ）にして１表示ライン目の副走査線（ＳＳＣＮ）を非選択状態にすると、１表示ライン目の副走査線電圧（Ｖｇ１）をオン電圧（ＶＧＨ）からオフ電圧（ＶＧＬ）に変化させることと、副薄膜トランジスタ（Ｑｂ）の寄生容量（Ｃｇｓｂ）とに起因するフィードスルー電圧（ΔＶｓｇ）の分だけ１表示ライン目の全サブピクセルの画素電極電圧（Ｖｓ）が低下し、この状態が保持される。
対向電圧（Ｖｃｏｍ１）を低下させる前のＶｃｏｍＨの電圧に対して、低下させた後のＶｃｏｍＬの電圧を、下記（８）式に示すような値に、予め設定することにより、期間［４］において保持される画素電極電圧（Ｖｓ）と対向電圧（Ｖｃｏｍ１）（＝ＶｃｏｍＬ）との差を結果的に０にすることができる。
【００５３】
【数６】
2008203627.tif 000008
これにより、１表示ライン目の全サブピクセルにおける液晶印加電圧（Ｖｐｘ）を０にして黒表示することができる。
その後、第２期間から第１期間に切り替えるのに同期して、対向電圧（Ｖｃｏｍ１）を再び第１期間におけるＶｃｏｍＨの電圧に戻す。再び第２期間に切り替えて期間［３］’を開始した後も同様に駆動する。このような動作は図１２−１（ｂ）、（ｃ）に示すように２表示ライン目以降についても同様である。
なお、画面の走査を終了するＮ表示ライン目については、画面走査方向（ＤＩＲ）に対して次に走査される側に隣接する表示ラインとして（Ｎ＋１）表示ライン目に相当するダミーサブピクセルもしくはダミー対向電極を設けておき、Ｎ表示ライン目のサブピクセルにおける副薄膜トランジスタ（Ｑｂ）のドレイン電極（ｄ）を接続する。
ダミー対向電極を（Ｎ＋１）表示ライン目として図１２−１（ｃ）におけるＶｃｏｍＮ’に示すような波形で駆動する。
本実施例においても、画像表示画面と黒表示画面を交互に表示することが可能になるため、画像と画像の間に黒表示画面を挿入して動画質を改善することができる。
【００５４】
なお、本実施例においても、前述の実施例２のように１フレーム期間の途中から副走査線（ＳＳＣＮ）による画面の走査を開始する駆動をしても構わない。その場合に得られる効果は実施例２の場合と同様である。
また、着目している表示ラインの対向電極（ＣＯＭ）に供給される対向電圧（Ｖｃｏｍ）と、画面走査方向（ＤＩＲ）に対して次に走査される表示ラインの対向電極（ＣＯＭ）に供給される対向電圧（Ｖｃｏｍ）とを一致させ、前述の実施例５と同じ駆動電圧波形で駆動することができる。その場合に得られる効果は実施例５の場合と同様である。
本実施例７〜１０において、ＩＰＳ表示モードの画素構造として、画素電極（Ｐ）を短冊状もしくは櫛歯状の平面形状とし、画素電極（Ｐ）と対向電極（ＣＯＭ）の間に第１の基板（ＳＵＢ１）の表面と平行な電界を発生して画素容量（Ｃｐｘ）を形成するＩＰＳ構造の電極配置としたが、画素電極（Ｐ）と対向電極（ＣＯＭ）の平面形状は、本実施例に限られるものではない。所謂、図１２−２に示すように、画素電極（Ｐ）と対向電極（ＣＯＭ）とを同一平面上に配置する構造などを採用しても構わない。
即ち、対向電極（ＣＯＭ）が保持容量線を兼ねるＮＢ表示モードのアクティブマトリクス型液晶表示装置であれば、あらゆる表示モードに対して有効である。
また、本実施例７〜１０においては、保持容量（Ｃｓｔ）は画素電極（Ｐ）と対向電極（ＣＯＭ）の間に絶縁膜を介して形成したが、副薄膜トランジスタ（Ｑｂ）のソース電極（ｓ）と対向電極（ＣＯＭ）の間に絶縁膜を介して形成したり、主薄膜トランジスタ（Ｑａ）のソース電極（Ｓ）と対向電極（ＣＯＭ）の間に絶縁膜を介して形成したりしてもよい。また、これらを組み合わせて形成しても構わない。
【００５５】
［実施例１１］
本実施例１１は、１つのサブピクセル内にＮＢ表示モードのＩＰＳ表示モードの透過部と、ＮＷ表示モードのＩＰＳ表示モードの反射部とを併せ持つ液晶表示装置の実施例である。
図１３は、本発明の実施例１１の液晶表示装置の画素構造の等価回路を示す図である。本実施例は、薄膜トランジスタを用いたアクティブマトリクス型液晶表示装置である。
本実施例では、第１の基板（ＳＵＢ１）上に、主走査線（ＭＳＣＮ１，ＭＳＣＮ２，．．．）と、主走査線（ＭＳＣＮ１，ＭＳＣＮ２，．．．）のそれぞれに対応して保持容量線を兼ねる透過部用の対向電極（ＣＯＭ１，ＣＯＭ２，．．．）と、反射部用の対向電極（ＣＯＭ２，ＣＯＭ３，．．．）と副走査線（ＳＳＣＮ１，ＳＳＣＮ２，．．．）を設け、これらに交差するように映像線（ＳＩＧ）を設け、破線で示したように、主走査線（ＭＳＣＮ）と映像線（ＳＩＧ）とにより区画される各サブピクセル（ＰＩＸ）毎に主薄膜トランジスタ（Ｑａ）と副薄膜トランジスタ（Ｑｂ）を設ける。
副薄膜トランジスタ（Ｑｂ）のゲート電極（ｇ）を副走査線（ＳＳＣＮ）に接続し、副薄膜トランジスタ（Ｑｂ）のドレイン電極（ｄ）を透過部用の対向電極（ＣＯＭ１）に接続し、副薄膜トランジスタ（Ｑｂ）のソース電極（ｓ）を画素電極（Ｐ）に接続する。
主薄膜トランジスタ（Ｑａ）のゲート電極（Ｇ）は主走査線（ＭＳＣＮ）に接続し、主薄膜トランジスタ（Ｑａ）のドレイン電極（Ｄ）は映像線（ＳＩＧ）に接続し、主薄膜トランジスタ（Ｑａ）のソース電極（Ｓ）は画素電極（Ｐ）に接続した。
【００５６】
画素電極（Ｐ）は短冊状もしくは櫛歯状の平面形状とし、画素電極（Ｐ）と透過部用の対向電極（ＣＯＭ１）との間に、透過部液晶層（ＬＣＴ）を介して第１の基板（ＳＵＢ１）の表面と平行な電界を発生して透過部画素容量（Ｃｐｘｔ）を形成し、画素電極（Ｐ）と反射部用の対向電極（ＣＯＭ２）との間に反射部液晶層（ＬＣＲ）を介して第１の基板（ＳＵＢ１）の表面と平行な電界を発生して反射部画素容量（Ｃｐｘｒ）を形成するＩＰＳ構造の電極配置としている。
画素電極（Ｐ）と透過部用の対向電極（ＣＯＭ１）との間、および反射部用の対向電極（ＣＯＭ２）との間に、それぞれ絶縁膜を介して保持容量（Ｃｓｔｔ，Ｃｓｔｒ）を形成する。なお、保持容量（Ｃｓｔｔ，Ｃｓｔｒ）は、それぞれ透過部画素容量（Ｃｐｘｔ）と反射部画素容量（Ｃｐｘｒ）と並列接続であるため、それらに含めて図示は省略している。
反射部用の対向電極（ＣＯＭ２）は、画面走査方向（ＤＩＲ）に対して次に走査される側に隣接するサブピクセルの透過部用の対向電極（ＣＯＭ２）と共用される。
第２の基板（ＳＵＢ２）と第１の基板（ＳＵＢ１）が液晶層（ＬＣＴ，ＬＣＲ）を介して対向するように配置し、その間隙に液晶組成物を充填した。
第１の基板（ＳＵＢ１）および第２の基板（ＳＵＢ２）の外側には、位相差板と偏光板（図示せず）を配置して、透過部がＮＢ表示モードになり、反射部がＮＷ表示モードになる液晶表示装置の構成としている。
【００５７】
また、主走査線（ＭＳＣＮ１，ＭＳＣＮ２，．．．）は走査線駆動回路１０に、副走査線（ＳＳＣＮ１，ＳＳＣＮ２，．．．）は副走査線駆動回路１１に、映像線（ＳＩＧ）は映像線駆動回路１３に、対向電極（ＣＯＭ１，ＣＯＭ２，．．．）は対向電圧生成回路１４に接続される。
主薄膜トランジスタ（Ｑａ）のゲート電極（Ｇ）とソース電極（Ｓ）との間には寄生容量（Ｃｇｓａ）が形成され、副薄膜トランジスタ（Ｑｂ）のゲート電極（ｇ）とソース電極（ｓ）との間には寄生容量（Ｃｇｓｂ）が形成される。
本実施例１１の液晶表示装置における各部の駆動電圧波形を図１４に示す。図１４（ａ）は画面の走査を開始する１表示ライン目の駆動電圧波形、図１４（ｂ）は２表示ライン目の駆動電圧波形、図１４（ｃ）は画面の走査を終了するＮ表示ライン目の駆動電圧波形を示す。
前述の実施例３や実施例７の場合と同様に、第２期間は主走査線（ＭＳＣＮ）を非選択状態に保ったまま副走査線（ＳＳＣＮ）を選択状態にする期間［３］（または期間［３］’）だけから構成している。
図１４（ａ）を例に説明する。図１４（ａ）において、ＶＧ１は画面先頭表示ラインである１表示ライン目の主走査線（ＭＳＣＮ１）の電圧波形、Ｖｇ１は１表示ライン目の副走査線（ＳＳＣＮ１）の電圧波形、ＶＤは着目している映像線（ＳＩＧ）の電圧波形、Ｖｃｏｍ１は透過部用の対向電極（ＣＯＭ１）の電圧波形、Ｖｃｏｍ２は反射部用の対向電極（ＣＯＭ２）の電圧波形、Ｖｓは着目しているサブピクセル（ＰＩＸ）の画素電極（Ｐ）の電圧波形であり、Ｖｐｘｔは画素電極電圧（Ｖｓ）と透過部用の対向電極に供給される対向電圧（Ｖｃｏｍ１）との差電圧として透過部画素容量（Ｃｐｘｔ）に印加される液晶印加電圧、Ｖｐｘｒは画素電極電圧（Ｖｓ）と反射部用の対向電極に供給される対向電圧（Ｖｃｏｍ２）との差電圧として反射部画素容量（Ｃｐｘｒ）に印加される液晶印加電圧である。各対向電極はそれぞれ独立に制御する。
【００５８】
第１フレームの画面の走査の開始とともに１表示ライン目の第１期間を開始する。第１期間は、１表示ライン目の主走査線電圧（ＶＧ１）を、主薄膜トランジスタ（Ｑａ）のオン電圧（ＶＧＨ）にして、１表示ライン目の主走査線（ＭＳＣＮ１）を選択状態にする期間［１］と、１表示ライン目の主走査線電圧（ＶＧ１）をオフ電圧（ＶＧＬ）にして、１表示ライン目の主走査線（ＭＳＣＮ１）を非選択状態にする期間［２］からなる。
第１期間の間、１表示ライン目の副走査線電圧（Ｖｇ１）を、副薄膜トランジスタ（Ｑｂ）のオフ電圧（ＶＧＬ）に保って１表示ライン目の副走査線（ＳＳＣＮ１）を非選択状態にする。主走査線（ＭＳＣＮ１）の選択時間、すなわち、期間［１］の長さをｔＬとしたとき、１表示ライン目の主走査線（ＭＳＣＮ１）を選択状態にする少なくともｔＬ以上前に、１表示ライン目の透過部用の対向電極に供給される対向電圧（Ｖｃｏｍ１）をＶｃｏｍＬの電圧に変化させる。
１表示ライン目の主走査線（ＭＳＣＮ１）を選択状態にして期間［１］を開始する時に、２表示ライン目の透過部用の対向電極（ＣＯＭ２）と共用されている１表示ライン目の反射部用の対向電極に供給される対向電圧（Ｖｃｏｍ２）をＶｃｏｍＨの電圧に変化させる。
期間［１］において、１表示ライン目の主走査線電圧（ＶＧ１）をオン電圧（ＶＧＨ）にして１表示ライン目の主走査線（ＭＳＣＮ１）を選択状態にすると、１表示ライン目の各サブピクセルの画素電極電圧（Ｖｓ）は１表示ライン目の主薄膜トランジスタ（Ｑａ）を介して映像線（ＳＩＧ）の電圧（ＶＤ）まで充電される。
【００５９】
透過部用の対向電極に供給される対向電圧（Ｖｃｏｍ１）および反射部用の対向電極に供給される対向電圧（Ｖｃｏｍ２）を変化させずに期間［２］に切り替えると、１表示ライン目の各サブピクセルの画素電極電圧（Ｖｓ）は主走査線電圧（ＶＧ１）をオン電圧（ＶＧＨ）からオフ電圧（ＶＧＬ）に変化させることと、主薄膜トランジスタ（Ｑａ）の寄生容量（Ｃｇｓａ）とに起因するフィードスルー電圧の分だけ低下し、この状態が保持される。
これにより、１表示ライン目の各サブピクセルにおける透過部画素容量（Ｃｐｘｔ）には画素電極電圧（Ｖｓ）と、透過部用の対向電極に供給される対向電圧（Ｖｃｏｍ１）の差電圧（Ｖｓ−ＶｃｏｍＬ）が画像信号に応じた透過部液晶印加電圧（Ｖｐｘｔ）として与えられて透過部画素容量（Ｃｐｘｔ）の液晶層（ＬＣＴ）が動作し、１表示ライン目の各サブピクセルの透過部に透過画像が表示される。
また、１表示ライン目の各サブピクセルにおける反射部画素容量（Ｃｐｘｒ）には画素電極電圧（Ｖｓ）と反射部用の対向電極に供給される対向電圧（Ｖｃｏｍ２）の差電圧（Ｖｓ−ＶｃｏｍＨ）が画像信号に応じた反射部液晶印加電圧（Ｖｐｘｒ）として与えられて反射部画素容量（Ｃｐｘｒ）の液晶層（ＬＣＲ）が動作し、１表示ライン目の各サブピクセルの反射部に反射画像が表示される。
【００６０】
次に、第１フレーム内において遅延時間（ｔｄ）後に、期間［３］だけからなる第２期間に切り替える。第２期間の間、１表示ライン目の主走査線電圧（ＶＧ１）を主薄膜トランジスタ（Ｑａ）のオフ電圧（ＶＧＬ）に保って１表示ライン目の主走査線（ＭＳＣＮ１）は非選択状態にする。
期間［３］において、１表示ライン目の副走査線電圧（Ｖｇ１）を副薄膜トランジスタ（Ｑｂ）のオン電圧（ＶＧＨ）に保って１表示ライン目の副走査線（ＳＳＣＮ１）を選択状態にすると、１表示ライン目の全サブピクセルの画素電極電圧（Ｖｓ）は副薄膜トランジスタ（Ｑｂ）を介して透過部用の対向電極に供給される対向電圧（Ｖｃｏｍ１）（＝ＶｃｏｍＬ）まで充電され、この電圧が与えられ続ける。
これにより、期間［３］において画素電極電圧（Ｖｓ）を透過部用の対向電極に供給される対向電圧（Ｖｃｏｍ１）に等しくすることができるため、期間［３］における透過部液晶印加電圧（Ｖｐｘｔ）を０にすることができる。
そして、透過部はＮＢ表示モードであるため、１表示ライン目の全サブピクセルの透過部を黒表示にすることができる。
一方、期間［３］における反射部液晶印加電圧（Ｖｐｘｒ）は、透過部用の対向電極に供給される対向電圧（Ｖｃｏｍ１）に等しい画素電極電圧（Ｖｓ）と反射部用の対向電極に供給される対向電圧（Ｖｃｏｍ２）との差、すなわち、（Ｖｃｏｍ１−Ｖｃｏｍ２＝ＶｃｏｍＬ−ＶｃｏｍＨ）になるため、透過部用の対向電極に供給される対向電圧（Ｖｃｏｍ１）と反射部用の対向電極に供給される対向電圧（Ｖｃｏｍ２）の差を、反射部に用いているＮＷ表示モードの黒表示電圧程度に設定しておくことにより、１表示ライン目の全サブピクセルの反射表示を黒表示にすることができる。
【００６１】
その後、第１期間による画面の走査が最終表示ラインであるＮ表示ライン目に到達した後（図１４（ｃ））、第２フレームの画面の走査の開始とともに再び第１期間を開始する。このとき、第１期間は期間［１］’と期間［２］’からなり、前回の第１期間とは次の点が異なること以外は同様である。
１表示ライン目の主走査線（ＭＳＣＮ１）を選択状態にする少なくともｔＬ以上前に、１表示ライン目の透過部用の対向電極に供給される対向電圧（Ｖｃｏｍ１）をＶｃｏｍＨの電圧に変化させる。１表示ライン目の主走査線（ＭＳＣＮ１）を選択状態にして期間［１］’を開始する時に、１表示ライン目の反射部用の対向電極に供給される対向電圧（Ｖｃｏｍ２）をＶｃｏｍＬの電圧に変化させる。また、透過部用の対向電極に供給される対向電圧（Ｖｃｏｍ１）に対する映像線（ＳＩＧ）の電圧（ＶＤ）の極性が前回の第１期間とは逆である。
これにより、１表示ライン目の各サブピクセルにおける透過部画素容量（Ｃｐｘｔ）には画素電極電圧（Ｖｓ）と透過部用の対向電極に供給される対向電圧（Ｖｖｏｍ１）の差電圧（Ｖｓ−ＶｃｏｍＨ）が画像信号に応じた透過部液晶印加電圧（Ｖｐｘｔ）として与えられて、透過部画素容量（Ｃｐｘｔ）の液晶層（ＬＣＴ）が動作し、１表示ライン目の各サブピクセルの透過部に透過画像が表示される。
また、１表示ライン目の各サブピクセルにおける反射部画素容量（Ｃｐｘｒ）には画素電極電圧（Ｖｓ）と反射部用の対向電極に供給される対向電圧（Ｖｃｏｍ２）の差電圧（Ｖｓ−ＶｃｏｍＬ）が画像信号に応じた反射部液晶印加電圧（Ｖｐｘｒ）として与えられて反射部画素容量（Ｃｐｘｒ）の液晶層（ＬＣＲ）が動作し、１表示ライン目の各サブピクセルの反射部に反射画像が表示できる。
透過部および反射部ともに液晶印加電圧の極性が前回の第１期間での極性と逆になるため、結果的に透過部および反射部ともに画素容量は交流駆動されて画像が表示される。
【００６２】
その後、第２フレーム内においても遅延時間（ｔｄ）後に再び第２期間に切り替える。このとき、第２期間は期間［３］’だけからなるが、前回の期間［３］からなる第２期間とは次の点が異なること以外は同様である。
期間［３］’において、１表示ライン目の副走査線電圧（Ｖｇ１）を副薄膜トランジスタ（Ｑｂ）のオン電圧（ＶＧＨ）に保って１表示ライン目の副走査線（ＳＳＣＮ１）を選択状態にすると、１表示ライン目の全サブピクセルの画素電極電圧（Ｖｓ）は副薄膜トランジスタ（Ｑｂ）を介して透過部用の対向電極に供給される対向電圧（Ｖｃｏｍ１）（＝ＶｃｏｍＨ）まで充電され、この電圧が与えられ続ける。
これにより、期間［３］’においても画素電極電圧（Ｖｓ）を透過部用の対向電極に供給される対向電圧（Ｖｃｏｍ１）に等しくすることができるため、期間［３］’における透過部液晶印加電圧（Ｖｐｘｔ）を０にすることができる。したがって、透過部にはＮＢ表示モードを使用しているため、１表示ライン目の全サブピクセルの透過表示を黒表示にすることができる。
一方、期間［３］’における反射部液晶印加電圧（Ｖｐｘｒ）は透過部用の対向電極に供給される対向電圧（Ｖｃｏｍ１）に等しい画素電極電圧（Ｖｓ）と反射部用の対向電極に供給される対向電圧（Ｖｃｏｍ２）との差、すなわち、（Ｖｃｏｍ１−Ｖｃｏｍ２＝ＶｃｏｍＨ−ＶｃｏｍＬ）になり、前回の第２期間での極性と逆になるため、１表示ライン目の全サブピクセルの反射表示を黒表示にすることができ、反射部の黒挿入駆動においても反射部画素容量（Ｃｐｘｒ）を交流駆動することができる。
その後、第１期間による画面の走査が最終表示ラインであるＮ表示ライン目に到達した後、第３フレームの画面の走査の開始とともに再び第１期間に切り替える。このような動作を繰り返すことにより、画像と黒表示を交互に表示することができる。このような動作は図１４（ｂ）、（ｃ）に示すように２表示ライン目以降についても同様である。
【００６３】
なお、画面の走査を終了する表示ラインに対応するＮ表示ライン目については、画面走査方向（ＤＩＲ）に対して次に走査される側に隣接する表示ラインとして、（Ｎ＋１）表示ライン目に相当するダミーサブピクセルもしくはダミー対向電極を設けておき、ダミー対向電極を（Ｎ＋１）表示ライン目のサブピクセルの透過部用の対向電極とみなしてＮ表示ライン目のサブピクセルの反射部用の対向電極と共用し、図１４（ｃ）におけるＶｃｏｍＮ’に示すような駆動電圧波形で駆動する。
前述した動作により、透過部および反射部ともに画像表示画面と黒表示画面を交互に表示することが可能になるため、画像と画像の間に黒表示画面を挿入して動画質を改善することができる。
さらに、前述の実施例２と同様に、１フレーム期間の途中から副走査線（ＳＳＣＮ）による画面の走査を開始する駆動であるため、実施例２の場合と同様の効果が得られる。
また、前述の実施例３と同様に、第２期間において各表示ラインの副走査線（ＳＳＣＮ）を選択状態に保ち続ける駆動であるため、実施例３の場合と同様の効果が得られる。
なお、第２期間の最後において、主走査線（ＭＳＣＮ）を選択状態にする少なくともｔＬ以上前に１表示ライン目の透過部用の対向電極に供給される対向電圧（Ｖｃｏｍ１）を変化させることにより、Ｖｃｏｍ１の変化と透過部画素容量（Ｃｐｘｔ）とに起因するフィードスルー電圧の分だけ画素電極電圧（Ｖｓ）が変化するが、第２期間の長さに比較してｔＬが十分に短いため、この画素電極電圧（Ｖｓ）の変化の影響は無視することができる。
【００６４】
本実施例では、各表示ラインの透過部用の対向電極に供給される対向電圧、および反射部用の対向電極に供給される対向電圧はそれぞれの表示ラインにおける第２期間から第１期間への切り替えに同期して変化させたが、各走査期間内でほぼ一定に保たれていればよく、第１期間から第２期間への切り替えに伴って変化させても構わない。
また、本実施例において、ＩＰＳ表示モードの画素構造として、画素電極（Ｐ）を短冊状もしくは櫛歯状の平面形状とし、画素電極（Ｐ）と透過部用の対向電極（ＣＯＭ１）の間に第１の基板（ＳＵＢ１）の表面と平行な電界を発生して透過部画素容量（Ｃｐｘｔ）を形成し、画素電極（Ｐ）と反射部用の対向電極（ＣＯＭ２）の間に第１の基板（ＳＵＢ１）の表面と平行な電界を発生して反射部画素容量（Ｃｐｘｒ）を形成するＩＰＳ構造の電極配置としたが、画素電極と対向電極の平面形状は本実施例に限られるものではない。所謂、画素電極（Ｐ）と対向電極（ＣＯＭ）とを同一平面上に配置する構造などを採用しても構わない。
また、本実施例において、保持容量（Ｃｓｔｔ，Ｃｓｔｒ）は、それぞれ画素電極と透過部用の対向電極（ＣＯＭ１）および反射部用の対向電極の間に絶縁膜を介して形成したが、主薄膜トランジスタ（Ｑａ）のソース電極（Ｓ）と各対向電極の間に絶縁膜を介して形成したり、副薄膜トランジスタ（Ｑｂ）のソース電極（ｓ）と各対向電極の間に絶縁膜を介して形成したりしてもよい。また、これらを組み合わせて形成しても構わない。
【００６５】
また、本実施例では、反射部用の対向電極（ＣＯＭ２）を画面走査方向（ＤＩＲ）に対して次に走査される側に隣接するサブピクセルの透過部用の対向電極（ＣＯＭ２）と共用したが、画面走査方向（ＤＩＲ）に対して直前に走査される側に隣接するサブピクセルの透過部用の対向電極（ＣＯＭ２）と共用する構造にしても構わない。この場合、副薄膜トランジスタ（Ｑｂ）のドレイン電極（ｄ）は、ＮＢ表示モードの表示部用の対向電極に接続する。
また、本実施例の構成に限らず、透過部がＮＷ表示モードで反射部がＮＢ表示モードであっても、副薄膜トランジスタ（Ｑｂ）のドレイン電極（ｄ）をＮＢ表示モードの表示部用の対向電極あるいはそれと等しい電圧の保持容量線に接続する構成にすればよい。さらに、ＩＰＳ表示モード以外でも、１つのサブピクセル内にＮＢ表示モードの表示部とＮＷ表示モードの表示部を併せ持つアクティブマトリクス型液晶表示装置であれば、あらゆる表示モードに対して有効である。
【００６６】
さらに、以上の全ての実施例において、副薄膜トランジスタ（Ｑｂ）のオン電圧は、副薄膜トランジスタ（Ｑｂ）により画素電極を保持容量電圧あるいは対向電極に供給される対向電圧まで十分に充電できるように副薄膜トランジスタ（Ｑｂ）をオン状態にする電圧であればよいため、必ずしも主薄膜トランジスタ（Ｑａ）のオン電圧と等しくなくてもよい。
また、副薄膜トランジスタ（Ｑｂ）のオフ電圧は、副薄膜トランジスタ（Ｑｂ）により画素電極と保持容量電圧あるいは対向電極に供給される対向電圧との間の電気的な接続を実質的に遮断できるように副薄膜トランジスタ（Ｑｂ）をオフ状態にする電圧であればよいため、必ずしも主薄膜トランジスタ（Ｑａ）のオフ電圧と等しくなくてもよい。
また、第２期間に期間［４］および期間［４］’を有する駆動の場合、期間［３］および期間［３］’の時間は、副薄膜トランジスタ（Ｑｂ）により画素電極を保持容量電圧あるいは対向電極に供給される対向電圧まで十分に充電できる時間であればよいため、必ずしも第１期間における期間［１］および期間［１］’の長さｔＬと等しくなくてもよい。
また、所望の表示モードを実現するために位相差板が必要であれば追加してもよく、逆に不要であれば除去しても構わない。例えば、ゲスト−ホスト表示モードを採用した場合、偏光板も不要であれば除去しても構わない。
さらに、以上の全ての実施例において、従来の動画質改善技術である、「ブリンクバックライト」や、「オーバードライブ駆動」や、「ＦＢＩ駆動」などを併用しても構わない。これにより、さらに動画質を改善できる。
また、対向電極の上層または下層の少なくとも一部に、金属電極を設けて対向電極と電気的に接続しても構わない。これにより、対向電極抵抗を低減することができる。特に、対向電極がＩＴＯのような抵抗率の高い透明導電性材料の場合に有効である。また、保持容量を形成するための絶縁膜は材質の異なる複数の層からなっていても構わない。
なお、液晶表示装置全体としては、表示面と反対側にバックライトを設ける。また、液晶層の配向状態としては、水平配向、ツイスト配向、垂直配向、ハイブリッド配向などを用いることができる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００６７】
【図１−１】本発明の実施例１の液晶表示装置の概略構成を示す図である。
【図１−２】本発明の実施例１の液晶表示装置の画素構造の等価回路を示す図である。
【図１−３】本発明の実施例１の液晶表示パネルの概略構造を示す要部断面図である。
【図２−１】本発明の実施例１の液晶表示装置の各部の駆動電圧波形を示す図である。
【図２−２】本発明の実施例１の液晶表示装置の変形例の各部の駆動電圧波形を示す図である。
【図３】本発明の実施例２の液晶表示装置の各部の駆動電圧波形を示す図である。
【図４−１】本発明の実施例３の液晶表示装置の各部の駆動電圧波形を示す図である。
【図４−２】本発明の実施例３の液晶表示装置の変形例の各部の駆動電圧波形を示す図である。
【図５−１】本発明の実施例４の液晶表示装置の各部の駆動電圧波形を示す図である。
【図５−２】本発明の実施例４の液晶表示装置の変形例の各部の駆動電圧波形を示す図である。
【図６】本発明の実施例５の液晶表示装置の画素構造の等価回路を示す図である。
【図７】本発明の実施例６の液晶表示装置の画素構造の等価回路を示す図である。
【図８−１】本発明の実施例７の液晶表示装置の概略構成を示す図である。
【図８−２】本発明の実施例７の液晶表示装置の画素構造の等価回路を示す図である。
【図８−３】本発明の実施例７の液晶表示パネルの概略構造を示す要部断面図である。
【図９】本発明の実施例８の液晶表示装置の各部の駆動電圧波形を示す図である。
【図１０】本発明の実施例９の液晶表示装置の各部の駆動電圧波形を示す図である。
【図１１】本発明の実施例１０の液晶表示装置の画素構造の等価回路を示す図である。
【図１２−１】本発明の実施例１０の液晶表示装置の各部の駆動電圧波形を示す図である。
【図１２−２】本発明の実施例１０の液晶表示装置の変形例の電極構造を示す図である。
【図１３】本発明の実施例１１の液晶表示装置の画素構造の等価回路を示す図である。
【図１４】本発明の実施例１１の液晶表示装置の各部の駆動電圧波形を示す図である。
【符号の説明】
【００６８】
１０  走査線駆動回路
１１  副走査線駆動回路
１２  保持容量電圧生成回路
１３  映像線駆動回路
１４  対向電圧生成回路
１５  表示制御回路
ＳＵＢ１  第１の基板
ＳＵＢ２  第２の基板
ＭＳＣＮ，ＭＳＣＮ１，ＭＳＣＮ２  主走査線
ＳＴＧ  保持容量線
ＳＳＣＮ，ＳＳＣＮ１，ＳＳＣＮ２  副走査線
ＳＩＧ  映像線
ＰＩＸ  サブピクセル
Ｑａ  主薄膜トランジスタ
Ｑｂ  副薄膜トランジスタ
Ｐ  画素電極
ＣＯＭ，ＣＯＭ１，ＣＯＭ２，ＣＯＭ３  対向電極
Ｃｓｔ，Ｃｓｔｔ，Ｃｓｔｒ  保持容量
ＬＣ  液晶層
Ｃｐｘ，Ｃｐｘｔ，Ｃｐｘｒ  画素容量
Ｃｇｓａ，Ｃｇｓｂ  寄生容量
ＢＭ  ブラックマトリクス
ＯＣ  平坦化膜
ＦＩＲ  カラーフィルタ
ＡＬ１，ＡＬ２  配向膜
ＰＡＳ１〜ＰＡＳ３  層間絶縁膜
ＤＩＲ  画面走査方向
ＡＲ  表示領域
【図１−１】
2008203627.tif 000009
【図１−２】
2008203627.tif 000010
【図１−３】
2008203627.tif 000011
【図２−１】
2008203627.tif 000012
【図２−２】
2008203627.tif 000013
【図３】
2008203627.tif 000014
【図４−１】
2008203627.tif 000015
【図４−２】
2008203627.tif 000016
【図５−１】
2008203627.tif 000017
【図５−２】
2008203627.tif 000018
【図６】
2008203627.tif 000019
【図７】
2008203627.tif 000020
【図８−１】
2008203627.tif 000021
【図８−２】
2008203627.tif 000022
【図８−３】
2008203627.tif 000023
【図９】
2008203627.tif 000024
【図１０】
2008203627.tif 000025
【図１１】
2008203627.tif 000026
【図１２−１】
2008203627.tif 000027
【図１２−２】
2008203627.tif 000028
【図１３】
2008203627.tif 000029
【図１４】
2008203627.tif 000030